(57)【特許請求の範囲】
【請求項１】
ワイヤレス通信のための方法であって、
ユーザデバイスから第１の基地局に、デバイス間（Ｄ２Ｄ）発見リソースの第１の割振りについての第１の要求を送信することと、
前記ユーザデバイスにおいて、前記第１の要求に応答して、前記ユーザデバイスに割り振られた前記Ｄ２Ｄ発見リソースが共通のものであるのか、または専用のものであるのかを示す応答、および前記ユーザデバイスに前記Ｄ２Ｄ発見リソースを割り振った複数の近隣基地局の識別情報を受信することと、ここで、前記複数の近隣基地局は、前記ユーザデバイスに同じ発見リソースを割り振ったページングのために使用されたトラッキングエリアに対応する基地局のグループである、
前記ユーザデバイスが前記複数の近隣基地局のうちの１つではない基地局と通信しているときに、前記ユーザデバイスから、Ｄ２Ｄ発見リソースの第２の割振りについての第２の要求を送信することと、ここにおいて、前記複数の近隣基地局のうちの１つではない前記基地局は、前記識別情報に基づいて識別される、
を備える、方法。
【請求項２】
前記ユーザデバイスに割り振られた前記Ｄ２Ｄ発見リソースが専用のものであるときに、前記割り振られたＤ２Ｄ発見リソースが使用され得る回数のインジケーションを受信すること
をさらに備える、または、
前記ユーザデバイスに割り振られた前記Ｄ２Ｄ発見リソースが専用のものであるときに、前記Ｄ２Ｄ発見リソースが割り振られた時間量のインジケーションを受信すること
をさらに備える、請求項１に記載の方法。
【請求項３】
前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信すること、ここにおいて、前記識別子が、前記ユーザデバイスに割り振られたサブフレーム上の複数のリソースブロック（ＲＢ）を識別する、
をさらに備える、請求項１に記載の方法。
【請求項４】
前記応答が、無線リソース制御（ＲＲＣ）メッセージ、媒体アクセス制御（ＭＡＣ）レイヤメッセージまたは物理（ＰＨＹ）レイヤメッセージであり、
ここにおいて、前記応答がＲＲＣメッセージであるとき、前記応答が、アップリンクのためのＤ２Ｄ送信リソース割振りを許可するダウンリンク制御情報（ＤＣＩ）メッセージまたはＤ２Ｄ発見情報を含むように修正されたRRCConnectionReconfigurationメッセージである、
請求項１に記載の方法。
【請求項５】
Ｄ２Ｄ発見要求のためにフォーマットされた無線リソース制御（ＲＲＣ）メッセージとして前記要求をフォーマットすること
をさらに備える、請求項１に記載の方法、または、
非Ｄ２Ｄ発見要求のために使用されるメッセージフォーマットを使用して前記要求をフォーマットすることと、
前記要求がＤ２Ｄ発見に関係するというインジケータを前記要求中に含めることと
をさらに備える、請求項１に記載の方法、または、
前記ユーザデバイスが有効な割り振られたＤ２Ｄ発見リソースを有さず、前記要求が拒絶されるとき、または前記ユーザデバイスが共通の割り振られたＤ２Ｄ発見リソースのみを有するとき、Ｄ２Ｄ発見リソースの割振りのための前記応答がエンプティである、請求項１に記載の方法、または、
前記ユーザデバイスが前記応答を受信した後に始まる発見期間中に前記ユーザデバイスに割り振られた、前記割り振られたＤ２Ｄ発見リソースを使用して、Ｄ２Ｄ発見メッセージを送信すること
をさらに備える、請求項１に記載の方法。
【請求項６】
前記要求が、送信されるべき複数の式と前記ユーザデバイスのためのＤ２Ｄ発見リソースについての対応する要求とを含み、前記応答が、前記ユーザデバイスに割り振られたＤ２Ｄ発見リソースが共通のものであるのか、または専用のものであるのかの対応する複数のインジケーションを含み、
特に、前記応答が、複数の割り振られたＤ２Ｄ発見リソースを前記複数の前記要求と相関させる式インデックスを含む、請求項１に記載の方法。
【請求項７】
Ｄ２Ｄ発見リソースの割振りについての前記要求は、前記ユーザデバイスがＤ２Ｄ発見に参加することを認可されているというインジケータを含む、請求項１に記載の方法。
【請求項８】
前記応答から、前記ユーザデバイスによって実行されるべき発見信号送信の数を決定すること
をさらに備える、請求項１に記載の方法、または、
前記応答から、前記ユーザデバイスに割り振られた前記Ｄ２Ｄ発見リソースが割振り解除されることを前記ユーザデバイスがその後に決定し得る、エンプティ発見信号送信の数を決定すること
をさらに備える、請求項１に記載の方法。
【請求項９】
ワイヤレス通信のための装置であって、
ユーザデバイスから第１の基地局に、デバイス間（Ｄ２Ｄ）発見リソースの割振りについての第１の要求を送信するための手段と、
前記要求に応答して、前記ユーザデバイスに割り振られた前記Ｄ２Ｄ発見リソースが共通のものであるのか、または専用のものであるのかを示す応答、および前記ユーザデバイスに前記Ｄ２Ｄ発見リソースを割り振った複数の近隣基地局の識別情報を受信するための手段と、ここで、前記複数の近隣基地局は、前記ユーザデバイスに同じ発見リソースを割り振ったページングのために使用されたトラッキングエリアに対応する基地局のグループである、
前記ユーザデバイスが前記複数の近隣基地局のうちの１つではない基地局と通信しているときに、前記ユーザデバイスから、Ｄ２Ｄ発見リソースの第２の割振りについての第２の要求を送信するための手段と、ここにおいて、前記複数の近隣基地局のうちの１つではない前記基地局は、前記識別情報に基づいて識別される、
を備える、装置。
【請求項１０】
前記ユーザデバイスに割り振られた前記Ｄ２Ｄ発見リソースが専用のものであるときに、前記割り振られたＤ２Ｄ発見リソースが使用され得る回数のインジケーションを受信するための手段
をさらに備える、または、
前記ユーザデバイスに割り振られた前記Ｄ２Ｄ発見リソースが専用のものであるときに、前記Ｄ２Ｄ発見リソースが割り振られた時間量のインジケーションを受信するための手段
をさらに備える、請求項９に記載の装置。
【請求項１１】
前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信するための手段、ここにおいて、前記識別子が、前記ユーザデバイスに割り振られたサブフレーム上の複数のリソースブロック（ＲＢ）を識別する、
をさらに備える、請求項９に記載の装置。
【請求項１２】
前記ユーザデバイスが有効な割り振られたＤ２Ｄ発見リソースを有さず、前記要求が拒絶されるとき、または前記ユーザデバイスが共通の割り振られたＤ２Ｄ発見リソースのみを有するとき、Ｄ２Ｄ発見リソースの割振りのための前記応答がエンプティである、請求項９に記載の装置。
【請求項１３】
前記ユーザデバイスが前記応答を受信した後に始まる発見期間中に前記ユーザデバイスに割り振られた、前記割り振られたＤ２Ｄ発見リソースを使用して、Ｄ２Ｄ発見メッセージを送信するための手段
をさらに備える、請求項９に記載の装置。
【請求項１４】
前記要求が、送信されるべき複数の式と前記ユーザデバイスのためのＤ２Ｄ発見リソースについての対応する要求とを含み、前記応答が、前記ユーザデバイスに割り振られたＤ２Ｄ発見リソースが共通のものであるのか、または専用のものであるのかの対応する複数のインジケーションを含む、請求項９に記載の装置。
【請求項１５】
コンピュータ上で実行されたときに請求項１〜８のいずれかのステップを実行するためのコードを備える、コンピュータプログラム。
【発明の詳細な説明】
【技術分野】
【０００１】
相互参照
[0001]本特許出願は、その各々が本明細書の譲受人に譲渡された、２０１４年１１月２５日に出願された「Device-to-Device Discovery Signaling for Radio Resource Allocation」と題する、Ｂａｇｈｅｌらによる米国特許出願第１４／５５２，８５２号および２０１４年１月２１日に出願された「Device-to-Device Discovery Signaling for Radio Resource Allocation」と題する、Ｂａｇｈｅｌらによる米国仮出願第６１／９２９，８０３号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。概して、ワイヤレス多元接続通信システムは、各々が複数のユーザデバイスのための通信を同時にサポートする、いくつかの基地局を含み得る。基地局は、ダウンストリームリンクおよびアップストリームリンク上でユーザデバイスと通信し得る。各基地局は、基地局またはセルのカバレージエリアと呼ばれることがあるカバレージ範囲を有する。
【０００３】
[0003]互いに近接しているユーザデバイスはまた、デバイス間（Ｄ２Ｄ：device-to-device）通信を介して直接通信し得る。Ｄ２Ｄ通信は、明確に割り振られたＤ２Ｄ発見リソースを使用して実行される。ただし、ユーザデバイスがＤ２Ｄ発見に参加する前に、ユーザデバイスは、はじめに、該ユーザデバイスに割り振られたＤ２Ｄ発見リソースを取得する。
【発明の概要】
【０００４】
[0004]説明される特徴は、一般に、ワイヤレス通信を管理するための１つまたは複数の改善された方法、システム、または装置に関する。ワイヤレス通信のための第１の方法について説明する。一構成では、ユーザデバイスは、デバイス間発見リソースの割振りについての要求を送信する。要求は、ユーザデバイスと通信している基地局に送信され得る。要求に応答して、ユーザデバイスは、基地局から、ユーザデバイスに割り振られたＤ２Ｄ発見リソースが共通のものであるのか、または専用のものであるのかを示す応答を受信する。
【０００５】
[0005]同様に、しかし、別の構成では、基地局は、ユーザデバイスから、Ｄ２Ｄ発見リソースの割振りについての要求を受信する。要求に応答して、基地局は、ユーザデバイスに、ユーザデバイスに割り振られたＤ２Ｄ発見リソースが共通のものであるのか、または専用のものであるのかを示す応答を送信する。
【０００６】
[0006]例示的な実施形態の第１のセットによれば、ワイヤレス通信のための方法は、ユーザデバイスから、Ｄ２Ｄ発見リソースの割振りについての要求を送信することを含み得る。本方法はまた、要求に応答して、ユーザデバイスに割り振られたＤ２Ｄ発見リソースが共通のものであるのか、または専用のものであるのかを示す応答を受信することを含み得る。いくつかの例では、本方法は、ユーザデバイスに割り振られたＤ２Ｄ発見リソースが専用のものであるときに、割り振られたＤ２Ｄ発見リソースが使用され得る回数のインジケーションを受信することをさらに含み得る。代替的に、本方法は、ユーザデバイスに割り振られたＤ２Ｄ発見リソースが専用のものであるときに、Ｄ２Ｄ発見リソースが割り振られた時間量のインジケーションを受信することをさらに含み得る。
【０００７】
[0007]いくつかの例では、本方法は、ユーザデバイスに割り振られたＤ２Ｄ発見リソースが専用のものであるときに、応答において、ユーザデバイスに割り振られたＤ２Ｄ発見リソースの識別子を受信することをさらに含み得、ここにおいて、該識別子は、ユーザデバイスに割り振られたサブフレーム上の複数のリソースブロック（ＲＢ）を識別する。
【０００８】
[0008]いくつかの例では、応答は、無線リソース制御（ＲＲＣ）メッセージ、媒体アクセス制御（ＭＡＣ）レイヤメッセージまたは物理（ＰＨＹ）レイヤメッセージであり得る。たとえば、いくつかの例では、応答は、アップリンクのためのＤ２Ｄ送信リソース割振りを許可するダウンリンク制御情報（ＤＣＩ：downlink control information）メッセージまたはＤ２Ｄ発見情報を含むように修正されたRRCConnectionReconfigurationメッセージであり得る。追加の例として、要求は、Ｄ２Ｄ発見要求のためにフォーマットされたＲＲＣメッセージとしてフォーマットされ得る。代替的に、要求は、非Ｄ２Ｄ発見要求のために使用されるメッセージフォーマットを使用してフォーマットされ得、要求がＤ２Ｄ発見に関係するというインジケータが要求中に含まれる。要求は、バッファステータス報告（ＢＳＲ：buffer status report）のメッセージフォーマットを使用してフォーマットされ得る。代替的に、要求は、ランダムアクセスチャネル（ＲＡＣＨ：random-access channel）プロセスに関連するメッセージを使用してフォーマットされ得る。
【０００９】
[0009]いくつかの例では、ユーザデバイスが有効な割り振られたＤ２Ｄ発見リソースを有さず、要求が拒絶されるとき、または共通の割り振られたＤ２Ｄ発見リソースのみを有するとき、Ｄ２Ｄ発見リソースの割振りのための応答はエンプティ（empty）であり得る。他の例では、Ｄ２Ｄ発見リソースの割振りについての要求は、ユーザデバイスに以前に割り振られたＤ２Ｄ発見リソースに関する情報と、Ｄ２Ｄ発見リソースをユーザデバイスに以前に割り振った基地局の識別子とを含み得る。
【００１０】
[0010]いくつかの例では、本方法は、ユーザデバイスが応答を受信した後に始まる発見期間中にユーザデバイスに割り振られた、割り振られたＤ２Ｄ発見リソースを使用して、Ｄ２Ｄ発見メッセージを送信することをさらに含み得る。代替的に、本方法は、応答が発見期間の開始としきい値時間との間に受信される限り、ユーザデバイスが応答を受信する前に始まる発見期間中にユーザデバイスに割り振られたＤ２Ｄ発見リソースを使用してＤ２Ｄ発見メッセージを送信することをさらに含み得る。
【００１１】
[0011]さらなる例として、本方法は、ユーザデバイスにおいて、ユーザデバイスにＤ２Ｄ発見リソースを割り振った複数の近隣基地局の識別情報を受信することを含み得る。複数の近隣基地局の識別情報は、システム情報ブロック（ＳＩＢ）メッセージの一部として、または応答の一部として受信され得る。本方法は、ユーザデバイスが複数の近隣基地局のうちの１つではない基地局と通信しているとき、ユーザデバイスから、Ｄ２Ｄ発見リソースの第２の割振りについての第２の要求を送信することをさらに含み得る。
【００１２】
[0012]いくつかの例では、要求は、送信されるべき複数の式（expressions）とユーザデバイスのためのＤ２Ｄ発見リソースについての対応する要求とを含み得、応答は、ユーザデバイスに割り振られたＤ２Ｄ発見リソースが共通のものであるのか、または専用のものであるのかの対応する複数のインジケーションを含む。これらの例では、応答は、複数の割り振られたＤ２Ｄ発見リソースを複数の要求と相関させる式インデックス（expression index）を含み得る。他の例では、Ｄ２Ｄ発見リソースの割振りについての要求は、ユーザデバイスがＤ２Ｄ発見に参加することを認可（authorized）されているというインジケータを含み得る。
【００１３】
[0013]いくつかの例では、本方法はまた、応答から、ユーザデバイスによって実行されるべき発見信号送信の数を決定することを含み得る。いくつかの例では、本方法は、応答から、ユーザデバイスに割り振られたＤ２Ｄ発見リソースが割振り解除（deallocated）されることをユーザデバイスがその後に決定し得るエンプティ発見信号送信の数を決定することをさらに含み得る。
【００１４】
[0014]例示的な実施形態の第２のセットによれば、ワイヤレス通信のための装置は、ユーザデバイスから、Ｄ２Ｄ発見リソースの割振りについての要求を送信するための手段、ならびに要求に応答して、ユーザデバイスに割り振られたＤ２Ｄ発見リソースが共通のものであるのか、または専用のものであるのかを示す応答を受信するための手段を含み得る。本装置は、ユーザデバイスに割り振られたＤ２Ｄ発見リソースが専用のものであるときに、割り振られたＤ２Ｄ発見リソースが使用され得る回数のインジケーションを受信するための手段をさらに含み得る。さらに、本装置は、ユーザデバイスに割り振られたＤ２Ｄ発見リソースが専用のものであるときに、Ｄ２Ｄ発見リソースが割り振られた時間量のインジケーションを受信するための手段をさらに含み得る。
【００１５】
[0015]いくつかの例では、本装置は、ユーザデバイスに割り振られたＤ２Ｄ発見リソースが専用のものであるときに、応答において、ユーザデバイスに割り振られたＤ２Ｄ発見リソースの識別子を受信するための手段をさらに含み得、ここにおいて、該識別子は、ユーザデバイスに割り振られたサブフレーム上の複数のＲＢを識別する。他の例では、本装置は、Ｄ２Ｄ発見リソースの割振りについての要求中に、ユーザデバイスに以前に割り振られたＤ２Ｄ発見リソースに関する情報と、Ｄ２Ｄ発見リソースをユーザデバイスに以前に割り振った基地局の識別子とを含めるための手段をさらに含み得る。
【００１６】
[0016]いくつかの例では、本装置は、ユーザデバイスが応答を受信した後に始まる発見期間中にユーザデバイスに割り振られた、割り振られたＤ２Ｄ発見リソースを使用して、Ｄ２Ｄ発見メッセージを送信するための手段を含み得る。他の例では、本装置は、応答が発見期間の開始としきい値時間との間に受信される限り、ユーザデバイスが応答を受信する前に始まる発見期間中にユーザデバイスに割り振られたＤ２Ｄ発見リソースを使用してＤ２Ｄ発見メッセージを送信するための手段を含み得る。またさらなる例では、本装置は、ユーザデバイスにおいて、ユーザデバイスにＤ２Ｄ発見リソースを割り振った複数の近隣基地局の識別情報を受信するための手段を含み得る。
【００１７】
[0017]例示的な実施形態の追加のセットによれば、ワイヤレス通信のために構成された装置は、少なくとも１つのプロセッサと、前記少なくとも１つのプロセッサに結合するメモリとを含み得る。少なくとも１つのプロセッサは、ユーザデバイスから、Ｄ２Ｄ発見リソースの割振りについての要求を送信することを行うように構成される。少なくとも１つのプロセッサはまた、要求に応答して、ユーザデバイスに割り振られたＤ２Ｄ発見リソースが共通のものであるのか、または専用のものであるのかを示す応答を受信することを行うように構成され得る。いくつかの例では、プロセッサは、ユーザデバイスに割り振られたＤ２Ｄ発見リソースが専用のものであるときに、割り振られたＤ２Ｄ発見リソースが使用され得る回数のインジケーションを受信することを行うようにさらに構成され得る。代替的に、プロセッサは、ユーザデバイスに割り振られたＤ２Ｄ発見リソースが専用のものであるときに、Ｄ２Ｄ発見リソースが割り振られた時間量のインジケーションを受信することを行うようにさらに構成され得る。
【００１８】
[0018]いくつかの例では、プロセッサは、ユーザデバイスに割り振られたＤ２Ｄ発見リソースが専用のものであるときに、応答において、ユーザデバイスに割り振られたＤ２Ｄ発見リソースの識別子を受信することを行うようにさらに構成され得、ここにおいて、該識別子は、ユーザデバイスに割り振られたサブフレーム上の複数のＲＢを識別する。他の例では、プロセッサは、Ｄ２Ｄ発見リソースの割振りについての要求中に、ユーザデバイスに以前に割り振られたＤ２Ｄ発見リソースに関する情報と、Ｄ２Ｄ発見リソースをユーザデバイスに以前に割り振った基地局の識別子とを含めることを行うようにさらに構成され得る。さらに他の例では、プロセッサは、ユーザデバイスにおいて、ユーザデバイスにＤ２Ｄ発見リソースを割り振った複数の近隣基地局の識別情報を受信することを行うようにさらに構成され得る。
【００１９】
[0019]例示的な実施形態の追加のセットによれば、コンピュータプログラム製品は、非一時的プログラムコードを記録した非一時的コンピュータ可読媒体を含み得る。非一時的プログラムコードは、ユーザデバイスから、Ｄ２Ｄ発見リソースの割振りについての要求を送信するためのプログラムコードを含み得る。非一時的プログラムコードはまた、要求に応答して、ユーザデバイスに割り振られたＤ２Ｄ発見リソースが共通のものであるのか、または専用のものであるのかを示す応答を受信するためのプログラムコードを含み得る。いくつかの例では、プログラムコードは、ユーザデバイスに割り振られたＤ２Ｄ発見リソースが専用のものであるときに、割り振られたＤ２Ｄ発見リソースが使用され得る回数のインジケーションを受信するためのプログラムコードをさらに含み得る。他の例では、プログラムコードは、ユーザデバイスに割り振られたＤ２Ｄ発見リソースが専用のものであるときに、Ｄ２Ｄ発見リソースが割り振られた時間量のインジケーションを受信するためのプログラムコードをさらに含み得る。
【００２０】
[0020]いくつかの例では、プログラムコードは、ユーザデバイスに割り振られたＤ２Ｄ発見リソースが専用のものであるときに、応答において、ユーザデバイスに割り振られたＤ２Ｄ発見リソースの識別子を受信するためのプログラムコードを含み得、ここにおいて、該識別子は、ユーザデバイスに割り振られたサブフレーム上の複数のＲＢを識別する。他の例では、プログラムコードは、Ｄ２Ｄ発見リソースの割振りについての要求中に、ユーザデバイスに以前に割り振られたＤ２Ｄ発見リソースに関する情報と、Ｄ２Ｄ発見リソースをユーザデバイスに以前に割り振った基地局の識別子とを含めるためのプログラムコードを含み得る。さらに他の例では、プログラムコードは、ユーザデバイスにおいて、ユーザデバイスにＤ２Ｄ発見リソースを割り振った複数の近隣基地局の識別情報を受信するためのプログラムコードを含み得る。
【００２１】
[0021]例示的な実施形態のまた別の追加のセットによれば、ワイヤレス通信のための方法は、ユーザデバイスから、Ｄ２Ｄ発見リソースの割振りについての要求を受信することと、要求に対する応答を送信することと、を含み得、ここで、該応答は、ユーザデバイスに割り振られたＤ２Ｄ発見リソースが共通のものであるのか、または専用のものであるのかを示す。本方法は、ユーザデバイスに割り振られたＤ２Ｄ発見リソースが専用のものであるとき、Ｄ２Ｄ発見リソースが割り振られたＤ２Ｄ発見送信の数を示すことをさらに含み得る。さらに、本方法は、ユーザデバイスに割り振られたＤ２Ｄ発見リソースが専用のものであるとき、Ｄ２Ｄ発見リソースが割り振られた時間量を示すことを含み得る。
【００２２】
[0022]いくつかの例では、本方法は、ユーザデバイスに割り振られたＤ２Ｄ発見リソースの識別子を応答に含めることを備え得る。識別子は、ユーザデバイスに割り振られたサブフレーム上の複数のＲＢを識別し得る。さらに、応答は、ＲＲＣメッセージ、ＭＡＣレイヤメッセージまたはＰＨＹレイヤメッセージのうちのいずれか１つとしてフォーマットされ得る。さらに、応答は、アップリンクのためのＤ２Ｄ送信リソース割振りを許可するダウンリンク制御情報メッセージまたはＤ２Ｄ発見情報を含むように修正されたRRCConnectionReconfigurationメッセージのうちのいずれか１つとしてフォーマットされ得る。
【００２３】
[0023]いくつかの例では、本方法は、ユーザデバイスに以前に割り振られたＤ２Ｄ発見リソースに関する情報と、Ｄ２Ｄ発見リソースをユーザデバイスに以前に割り振った基地局の識別子とを、Ｄ２Ｄ発見リソースの割振りについての要求中で受信することを含み得る。本方法はまた、ユーザデバイスに以前に割り振られたＤ２Ｄ発見リソースを基地局が解放することができるように、ユーザデバイスにＤ２Ｄ発見リソースを以前に割り振った基地局に、ユーザデバイスに以前に割り振られたＤ２Ｄ発見リソースに関する情報を転送することを含み得る。代替的に、本方法は、ユーザデバイスに以前に割り振られたＤ２Ｄ発見リソースをグループ中の基地局が解放することができるように、ユーザデバイスにＤ２Ｄ発見リソースを以前に割り振った基地局を含む基地局のグループ中の任意の基地局に、ユーザデバイスに以前に割り振られたＤ２Ｄ発見リソースに関する情報を転送することを含み得る。また別の代替実施形態では、本方法は、ユーザデバイスに以前に割り振られたＤ２Ｄ発見リソースを基地局が解放することができることを、ユーザデバイスにＤ２Ｄ発見リソースを以前に割り振った基地局を含む基地局のグループ中の基地局にモビリティ管理エンティティ（ＭＭＥ）が通知することができるように、ＭＭＥに、ユーザデバイスに以前に割り振られたＤ２Ｄ発見リソースに関する情報を転送することを含み得る。
【００２４】
[0024]いくつかの例では、ユーザデバイスに割り振られたＤ２Ｄ発見リソースが共通のものである（たとえば、要求が拒絶される）ときには、応答はエンプティであり得る。
【００２５】
[0025]いくつかの他の例では、本方法は、ユーザデバイスに、ユーザデバイスにＤ２Ｄ発見リソースを割り振った複数の近隣基地局のインジケーションを送信することを含み得る。複数の近隣基地局のインジケーションは、ＳＩＢメッセージの一部として、または応答の一部として送信され得る。さらに、複数の近隣基地局は、ページングのために使用されるトラッキングエリアに対応する基地局のグループであり得る。
【００２６】
[0026]いくつかの例では、要求は、ユーザデバイスのためのＤ２Ｄ発見リソースについての複数の要求を含み得、応答は、ユーザデバイスに割り振られたＤ２Ｄ発見リソースが共通のものであるのか、または専用のものであるのかの対応する複数のインジケーションを含む。
【００２７】
[0027]例示的な実施形態のまた別の追加のセットによれば、ワイヤレス通信のための装置は、ユーザデバイスから、Ｄ２Ｄ発見リソースの割振りについての要求を受信するための手段、ならびに要求に対する応答を送信するための手段を含み得、該応答は、ユーザデバイスに割り振られたＤ２Ｄ発見リソースが共通のものであるのか、または専用のものであるのかを示す。本装置は、ユーザデバイスに割り振られたＤ２Ｄ発見リソースが専用のものであるとき、Ｄ２Ｄ発見リソースが割り振られたＤ２Ｄ発見送信の数を示すための手段をさらに含み得る。さらに、本装置は、ユーザデバイスに割り振られたＤ２Ｄ発見リソースが専用のものであるとき、Ｄ２Ｄ発見リソースが割り振られた時間量を示すための手段をさらに含み得る。いくつかの例では、本装置は、ユーザデバイスに割り振られたＤ２Ｄ発見リソースの識別子を応答に含めるための手段を含み得る。
【００２８】
[0028]いくつかの例では、本装置は、ユーザデバイスに以前に割り振られたＤ２Ｄ発見リソースに関する情報と、Ｄ２Ｄ発見リソースをユーザデバイスに以前に割り振った基地局の識別子とを、Ｄ２Ｄ発見リソースの割振りについての要求中で受信するための手段を含み得る。本装置は、ユーザデバイスに以前に割り振られたＤ２Ｄ発見リソースを基地局が解放することができるように、ユーザデバイスにＤ２Ｄ発見リソースを以前に割り振った基地局に、ユーザデバイスに以前に割り振られたＤ２Ｄ発見リソースに関する情報を転送するための手段をさらに含み得る。代替的に、本装置は、ユーザデバイスに以前に割り振られたＤ２Ｄ発見リソースをグループ中の基地局が解放することができるように、ユーザデバイスにＤ２Ｄ発見リソースを以前に割り振った基地局を含む基地局のグループ中の任意の基地局に、ユーザデバイスに以前に割り振られたＤ２Ｄ発見リソースに関する情報を転送するための手段をさらに含み得る。さらに、本装置は、ユーザデバイスに以前に割り振られたＤ２Ｄ発見リソースを基地局が解放することができることを、ユーザデバイスにＤ２Ｄ発見リソースを以前に割り振った基地局を含む基地局のグループ中の基地局にＭＭＥが通知することができるように、ＭＭＥに、ユーザデバイスに以前に割り振られたＤ２Ｄ発見リソースに関する情報を転送するための手段を含み得る。
【００２９】
[0029]いくつかの例では、本装置は、ユーザデバイスに、ユーザデバイスにＤ２Ｄ発見リソースを割り振った複数の近隣基地局のインジケーションを送信するための手段をさらに含み得る。
【００３０】
[0030]例示的な実施形態のまた別の追加のセットによれば、ワイヤレス通信のために構成された装置は、少なくとも１つのプロセッサと、前記少なくとも１つのプロセッサに結合されたメモリとを含み得る。少なくとも１つのプロセッサは、ユーザデバイスから、Ｄ２Ｄ発見リソースの割振りについての要求を受信することを行うように構成され得る。さらに、少なくとも１つのプロセッサは、要求に対する応答を送信することを行うように構成され得、該応答は、ユーザデバイスに割り振られたＤ２Ｄ発見リソースが共通のものであるのか、または専用のものであるのかを示す。プロセッサは、ユーザデバイスに割り振られたＤ２Ｄ発見リソースが専用のものであるとき、Ｄ２Ｄ発見リソースが割り振られたＤ２Ｄ発見送信の数を示すことを行うようにさらに構成され得る。さらに、プロセッサは、ユーザデバイスに割り振られたＤ２Ｄ発見リソースが専用のものであるとき、Ｄ２Ｄ発見リソースが割り振られた時間量を示すことを行うようにさらに構成され得る。
【００３１】
[0031]いくつかの例では、プロセッサは、ユーザデバイスに以前に割り振られたＤ２Ｄ発見リソースに関する情報と、Ｄ２Ｄ発見リソースをユーザデバイスに以前に割り振られた基地局の識別子とを、Ｄ２Ｄ発見リソースの割振りについての要求中で受信することを行うようにさらに構成され得る。この場合、プロセッサは、ユーザデバイスに以前に割り振られたＤ２Ｄ発見リソースを基地局が解放することができるように、ユーザデバイスにＤ２Ｄ発見リソースを以前に割り振った基地局に、ユーザデバイスに以前に割り振られたＤ２Ｄ発見リソースに関する情報を転送することを行うようにさらに構成され得る。いくつかの例では、プロセッサは、ユーザデバイスに、ユーザデバイスにＤ２Ｄ発見リソースを割り振った複数の近隣基地局のインジケーションを送信することを行うようにさらに構成され得る。
【００３２】
[0032]例示的な実施形態のまた別の追加のセットによれば、コンピュータプログラム製品は、非一時的プログラムコードを記録した非一時的コンピュータ可読媒体を含み得る。非一時的プログラムコードは、ユーザデバイスから、Ｄ２Ｄ発見リソースの割振りについての要求を受信するためのプログラムコードと、要求に対する応答を送信するためのプログラムコードと、を含み得、該応答は、ユーザデバイスに割り振られたＤ２Ｄ発見リソースが共通のものであるのか、または専用のものであるのかを示す。いくつかの例では、プログラムコードは、ユーザデバイスに割り振られたＤ２Ｄ発見リソースが専用のものであるとき、Ｄ２Ｄ発見リソースが割り振られたＤ２Ｄ発見送信の数を示すためのプログラムコードをさらに含み得る。他の例では、プログラムコードは、ユーザデバイスに割り振られたＤ２Ｄ発見リソースが専用のものであるとき、Ｄ２Ｄ発見リソースが割り振られた時間量を示すためのプログラムコードをさらに含み得る。
【００３３】
[0033]いくつかの例では、プログラムコードは、ユーザデバイスに以前に割り振られたＤ２Ｄ発見リソースに関する情報と、Ｄ２Ｄ発見リソースをユーザデバイスに以前に割り振った基地局の識別子とを、Ｄ２Ｄ発見リソースの割振りについての要求中で受信するためのプログラムコードをさらに含み得る。この場合、プログラムコードは、ユーザデバイスに以前に割り振られたＤ２Ｄ発見リソースを基地局が解放することができるように、ユーザデバイスにＤ２Ｄ発見リソースを以前に割り振った基地局に、ユーザデバイスに以前に割り振られたＤ２Ｄ発見リソースに関する情報を転送するためのプログラムコードを含み得る。他の例では、プログラムコードは、ユーザデバイスに、ユーザデバイスにＤ２Ｄ発見リソースを割り振った複数の近隣基地局のインジケーションを送信するためのプログラムコードをさらに含み得る。
【００３４】
[0034]説明する方法および装置の適用可能性のさらなる範囲は、以下の発明を実施するための形態、特許請求の範囲、および図面から明らかになろう。発明を実施するための形態の範囲内の様々な変更および改変が当業者に明らかになるだろうから、発明を実施するための形態および特定の例は例示として与えられるものにすぎない。
【００３５】
[0035]本開示の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。本明細書で第１の参照ラベルだけが使用される場合、説明は、第２の参照ラベルにかかわらず、同一の第１の参照ラベルを有する同様の構成要素のいずれにも適用可能である。
【図面の簡単な説明】
【００３６】
【図１】[0036]様々な実施形態による、ワイヤレス通信システムの一例のブロック図。
【図２】[0037]様々な実施形態による、デバイス間発見とワイヤレス通信とのためのシステムの一例のブロック図。
【図３】[0038]様々な実施形態による、デバイス間発見に関与するユーザデバイスと基地局との間の通信を示すメッセージフロー図。
【図４】[0039]様々な実施形態による、ユーザデバイスの一例のブロック図。
【図５】[0040]様々な実施形態による、ユーザデバイス中のデバイス間発見モジュールの一例のブロック図。
【図６】[0041]様々な実施形態による、ユーザデバイスの一例のブロック図。
【図７】[0042]様々な実施形態による、基地局の一例のブロック図。
【図８】[0043]様々な実施形態による、基地局中のデバイス間発見モジュールの一例のブロック図。
【図９】[0044]様々な実施形態による、基地局の一例のブロック図。
【図１０】[0045]様々な実施形態による、デバイス間発見に関与するユーザデバイスと基地局との間の通信を示すメッセージフロー図。
【図１１】[0046]様々な実施形態による、デバイス間発見リソースを示すブロック図。
【図１２】[0047]様々な実施形態による、ワイヤレス通信のための様々な方法のフローチャート。
【図１３】様々な実施形態による、ワイヤレス通信のための様々な方法のフローチャート。
【図１４】様々な実施形態による、ワイヤレス通信のための様々な方法のフローチャート。
【図１５】様々な実施形態による、ワイヤレス通信のための様々な方法のフローチャート。
【発明を実施するための形態】
【００３７】
[0048]一般に、ユーザデバイスは、ワイヤレス通信システムの基地局と通信することによってワイヤレス通信に関与する。ただし、ユーザデバイスのユーザもまた、デバイス間ワイヤレス通信に参加し得る。Ｄ２Ｄワイヤレス通信により、互いの範囲（range）内にあるユーザデバイスは、基地局を通して通信する代わりに、互いに直接通信することが可能になる。Ｄ２Ｄワイヤレス通信が望ましいときの一例は、ユーザデバイスが基地局のカバレージを離れるときである。サービスの中断を回避するために、カバレージエリアを離れたユーザデバイスは、ロングタームエボリューション（ＬＴＥ（登録商標））システムにおける直接ピア発見信号などのピア発見メッセージをブロードキャストし得、それが、次いで、カバレージ内ユーザデバイス（in-coverage user device）によって受信され得る。２つのユーザデバイスが互いを発見すると、カバレージ内ユーザデバイスは、カバレージ外ユーザデバイス（out-of-coverage user device）と基地局との間のリレーとして働き得る。Ｄ２Ｄワイヤレス通信の他の使用法も存在する。しかしながら、Ｄ２Ｄ発見のためのデバイス間のワイヤレス通信は、明確に割り振られたＤ２Ｄ発見リソースを使用して行われる。したがって、ユーザデバイスがＤ２Ｄ発見に関与する前に、ユーザデバイスは、ユーザデバイスに割り振られた明確なＤ２Ｄ発見リソース、ならびに、それらのリソースの使用法を管理し得る詳細を決定する必要があり得る。
【００３８】
[0049]以下の説明は例を提供するものであり、特許請求の範囲に記載した範囲、適用可能性、または構成を限定するものではない。本開示の範囲から逸脱することなく、論じられる要素の機能および構成に変更が行われ得る。様々な実施形態は、適宜に、様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３９】
[0050]最初に図１を参照すると、この図は、ワイヤレス通信システム１００の一例を示す。ワイヤレス通信システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラの制御下で、通信デバイス１１５と通信し得る。基地局１０５は、バックホールリンク１３２を通じてコアネットワーク１３０と制御情報またはユーザデータを通信し得る。実施形態では、基地局１０５は、有線またはワイヤレス通信リンクであり得るバックホールリンク１３４を通じて、直接または間接的に、互いに通信し得る。システム１００は、複数のキャリア（異なる周波数の波形信号）上での動作をサポートし得る。マルチキャリア送信機は、複数のキャリア上で同時に変調された信号を送信し得る。たとえば、各通信リンク１２５は、上記で説明した様々な無線技術に従って変調されたマルチキャリア信号であり得る。各々の変調された信号は、異なるキャリア上で送られ得、制御情報（たとえば、基準信号、制御チャネルなど）、オーバーヘッド情報、データなどを搬送し得る。
【００４０】
[0051]基地局１０５は、１つまたは複数の基地局アンテナを介してユーザデバイス１１５とワイヤレス通信し得る。基地局１０５サイトの各々は、それぞれのカバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局１０５のためのカバレージエリア１１０は、カバレージエリア１１０の一部分のみを構成するセクタに分割され得る。システム１００は、異なるタイプの基地局１０５（たとえば、マクロ基地局、マイクロ基地局、ピコ基地局、またはフェムト基地局）を含み得る。異なる技術に対して重複するカバレージエリアがあり得る。
【００４１】
[0052]実施形態では、システム１００はＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は、概して、それぞれ基地局１０５およびユーザデバイス１１５について説明するために使用され得る。システム１００は、異なるタイプの基地局がその中で様々な地理的領域にカバレージを与える、異種ＬＴＥ／ＬＴＥ−Ａネットワークであり得る。たとえば、各基地局１０５は、マクロセル、ピコセル、フェムトセル、または他のタイプのセルに通信カバレージを与え得る。マクロセルは、概して、比較的大きい地理的エリア（たとえば、半径数キロメートル）をカバーし、サービスに加入しているユーザデバイスによるネットワークプロバイダとの無制限アクセスを可能にし得る。ピコセルは一般に、比較的小さい地理的エリアをカバーし、ネットワークプロバイダのサービスに加入しているユーザデバイスによる無制限アクセスを可能にし得る。また、フェムトセルは、概して、比較的小さい地理的エリア（たとえば、自宅）をカバーすることになり、無制限アクセスに加えて、フェムトセルとの関連を有するユーザデバイス（たとえば、限定加入者グループ（ＣＳＧ：closed subscriber group）中のユーザデバイス、自宅内のユーザのためのユーザデバイスなど）による限定アクセスをも与え得る。マクロセルの基地局は、たとえば、マクロｅＮＢと呼ばれることがある。ピコセルの基地局はピコｅＮＢと呼ばれることがある。また、フェムトセルのための基地局は、フェムトｅＮＢまたはホームｅＮＢと呼ばれ得る。基地局は、１つまたは複数（たとえば、２つ、３つ、４つなど）のセルをサポートし得る。
【００４２】
[0053]コアネットワーク１３０は、バックホールリンク１３２（たとえば、Ｓ１など）を介して基地局１０５と通信し得る。基地局１０５はまた、たとえば、バックホールリンク１３４（たとえば、Ｘ２など）を介して、またはバックホールリンク１３２を介して（たとえば、コアネットワーク１３０を介して）、直接的または間接的に、互いに通信し得る。ワイヤレス通信システム１００は、同期動作または非同期動作をサポートし得る。同期動作の場合、基地局１０５は同様のフレームタイミングを有し得、異なる基地局１０５からの送信は時間的にほぼアライメントされ得る。非同期動作の場合、基地局１０５は異なるフレームタイミングを有し得、異なる基地局１０５からの送信は時間的にアライメントされていないことがある。本明細書で説明する技法は、同期動作または非同期動作のいずれかに使用され得る。
【００４３】
[0054]基地局１０５はまた、ユーザデバイス１１５にそれらのフレームタイミングと他の情報とを通信し得る。したがって、基地局１０５とユーザデバイス１１５との間のワイヤレス通信は、様々なコマンドと情報との送信を含み得る。基地局１０５からユーザデバイス１１５に通信され得る情報の中には、Ｄ２Ｄ発見のためにユーザデバイス１１５に割り振られたリソースに関係する情報である。Ｄ２Ｄ発見リソース情報は、割り振られたＤ２Ｄ発見リソースのタイプの識別情報、ならびにリソース識別情報を含み得る。この発見リソース情報とそれの通信とについて、以下の実施形態においてさらに説明する。
【００４４】
[0055]ユーザデバイス１１５はワイヤレス通信システム１００全体にわたって分散され、各ユーザデバイス１１５は固定またはモバイルであり得る。ユーザデバイス１１５は、当業者によって、ＵＥ、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、リレー、または何らかの他の好適な用語で呼ばれることもある。ユーザデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ユーザデバイス１１５は、マクロｅＮＢ、ピコｅＮＢ、フェムトｅＮＢ、リレーなどと通信することが可能であり得る。ユーザデバイス１１５−ａはまた、Ｄ２Ｄワイヤレス通信を介して別のユーザデバイス１１５と直接通信し得る。一例では、基地局１０５のカバレージエリア１１０内のユーザデバイス１１５は、基地局１０５のカバレージエリア１１０の外部にあるユーザデバイス１１５−ａのためのリレーとして働き得る。カバレージ内ユーザデバイス１１５は、基地局１０５からカバレージ外ユーザデバイス１１５−ａへの通信をリレー（または再送信）し得る。同様に、カバレージ内ユーザデバイス１１５は、カバレージ外ユーザデバイス１１５−ａから基地局１０５への通信をリレーし得る。
【００４５】
[0056]ユーザデバイス１１５が、基地局１０５と他のユーザデバイス１１５（たとえば、カバレージ外ユーザデバイス１１５−ａ）との間のリレーとして参加するために、ユーザデバイス１１５は、Ｄ２Ｄ発見に参加し得る。そうするために、ユーザデバイス１１５は、最初に、ユーザデバイス１１５が通信している基地局１０５によってどのＤ２Ｄ発見リソースがユーザデバイス１１５に割り振られているかを決定する必要があり得る。したがって、ユーザデバイス１１５は、基地局１０５にＤ２Ｄ発見リソース情報を要求し得、基地局１０５は、次いで、要求された情報で応答し得る。Ｄ２Ｄ発見リソース要求および応答について、それらの使用法とともに、以下でさらに詳細に説明する。
【００４６】
[0057]ワイヤレス通信システム１００中に示された通信リンク１２５は、ユーザデバイス１１５から基地局１０５へのアップリンク（ＵＬ）送信、または基地局１０５からユーザデバイス１１５へのダウンリンク（ＤＬ）送信を含み得る。ダウンリンク送信は順方向リンク送信と呼ばれることもあり、アップリンク送信は逆方向リンク送信と呼ばれることもある。
【００４７】
[0058]図２は、Ｄ２Ｄ通信が実施され得るシステム２００の一例のブロック図である。図２のシステム２００は、図１に関して説明したワイヤレス通信システム１００の一例であり得る。一構成では、基地局１０５−ａ−１は、基地局１０５−ａ−１のカバレージエリア１１０−ａ−１内に入る１つまたは複数のユーザデバイス１１５−ｂと通信し得る。カバレージ内ユーザデバイス１１５−ｂ−１は、基地局１０５−ａ−１との間の通信を受信／送信し得る。１つまたは複数のユーザデバイス１１５−ｂ−２、１１５−ｂ−３、１１５−ｂ−４、１１５−ｂ−５は、基地局１０５−ａ−１のカバレージエリア１１０−ａ−１の外部にあり得、Ｄ２Ｄ通信に参加し得る。他のユーザデバイス１１５−ｂ−６は、基地局１０５−ａ−１のカバレージエリア１１０−ａ−１内にあり得るが、Ｄ２Ｄ通信にも参加し得る。ユーザデバイス１１５−ｂ−２、１１５−ｂ−３はまた、異なる基地局１０５−ａ−２のカバレージエリア１１０−ａ−２内にあり得、基地局１０５−ａ−２と通信していることがある。基地局１０５−ａおよびユーザデバイス１１５−ｂは、図１を参照しながら説明した基地局１０５およびユーザデバイス１１５の例であり得る。
【００４８】
[0059]一実施形態では、カバレージ内ユーザデバイス１１５−ｂ−１は、ピア発見信号２０５をブロードキャスト、マルチキャスト、またはユニキャストし得る。ピア発見信号２０５は、カバレージ内またはカバレージ外のいずれかである１つまたは複数のユーザデバイス１１５−ｂに送られ得る。ピア発見信号２０５は、ロングタームエボリューション（ＬＴＥ）ダイレクトピア発見信号であり得る。一構成では、ピア発見信号２０５は、カバレージ内ユーザデバイス１１５−ｂ−１の識別子を含み得る。たとえば、識別子は、カバレージ内ユーザデバイス１１５−ｂ−１の媒体アクセス制御（ＭＡＣ）アドレスであり得る。さらに、ピア発見信号２０５は、ユーザデバイス１１５−ｂ−１のリレーステータスを含み得る。リレーステータスは、カバレージ内ユーザデバイス１１５−ｂ−１が１つまたは複数のカバレージ外ユーザデバイス１１５のリレーサービスを提供することが可能であるか否かを示し得る。
【００４９】
[0060]一例では、カバレージ外ユーザデバイス１１５は、１つまたは複数のカバレージ内ユーザデバイス１１５の各々がリレーデバイスとして機能することが可能であることを示すピア発見信号２０５を受信し得る。カバレージ外ユーザデバイス１１５は、次いで、リレーサービスを提供するための、カバレージ内ユーザデバイス１１５のうちの１つを選択し得る。どのカバレージ内ユーザデバイス１１５を選択すべきかに関する決定は、各カバレージ内ユーザデバイス１１５から受信されたピア発見信号２０５の信号強度、カバレージ内ユーザデバイス１１５の識別情報、または様々な他のファクタ（たとえば、各カバレージ内ユーザデバイス１１５のバッテリー残量（バッテリーで動作する場合）、各カバレージ内ユーザデバイス１１５によってサポートされるサービスのタイプ（それらがどのサービスまたはアプリケーションにリレーサービスを提供することができるのか、または提供しようとするのかに関してリレーデバイスが選択的である場合）、または各カバレージ内ユーザデバイス１１５がリレーサービスを提供しようとする無線技術）に基づき得る。これらのファクタの一部または全部が、Ｄ２Ｄ発見信号から示され、または導出され得る。ファクタのいくつかはまた、あるいは代替的に、カバレージ外ユーザデバイスがリレーステータスおよび識別子情報をそこから受信したカバレージ内ユーザデバイス１１５に照会（querying）することによって取得され得る。
【００５０】
[0061]一構成では、カバレージ外ユーザデバイス１１５−ｂは、１つまたは複数のカバレージ内ユーザデバイス１１５−ｂにＤ２Ｄ発見信号２０５を送信し得る。ピア発見信号２０５は、カバレージ外ユーザデバイス１１５−ｂがカバレージ外であるか、またはリレーサービスを要求していることを示し得る。信号２０５は、カバレージ外ユーザデバイス１１５−ｂの識別子を含み得る。一構成では、ユーザデバイス１１５−ｂは、基地局１０５−ａ−１のカバレージエリア１１０−ａ−１の外に出ようとしていることを感知すると、Ｄ２Ｄ発見信号２０５をブロードキャストし得る。別の実施形態では、ユーザデバイス１１５−ｂは、カバレージエリア１１０−ａ−１の外にすでに出た後に信号２０５をブロードキャストし得る。
【００５１】
[0062]一構成では、第１のカバレージ外ユーザデバイス１１５−ｂ−４は、第２のカバレージ外ユーザデバイス１１５−ｂ−５のためのリレーデバイスとして働き得る。第１のカバレージ外ユーザデバイス１１５−ｂ−４は、ユーザデバイス１１５−ｂ−４がリレーサービスを提供することが可能であることを、第２のカバレージ外ユーザデバイス１１５−ｂ−５に通知するために、ピア発見信号２０５を送信し得る。別の例として、第２のカバレージ外ユーザデバイス１１５−ｂ−５は、第１のカバレージ外ユーザデバイス１１５−ｂ−４からのリレーサービスを要求する信号２０５を送信し得る。結果として、カバレージ内ユーザデバイス１１５−ｂ−１は、第１のカバレージ外ユーザデバイス１１５−ｂ−４から基地局１０５−ａへ／基地局１０５−ａから第１のカバレージ外ユーザデバイス１１５−ｂ−４へ、通信をリレーし得る。第１のカバレージ外ユーザデバイス１１５−ｂ−４は、第２のカバレージ外ユーザデバイス１１５−ｂ−５から／への通信の少なくとも一部分をリレーし得る。
【００５２】
[0063]追加の例として、２つのカバレージ内ユーザデバイス１１５−ｂ−１、１１５−ｂ−６も、直接Ｄ２Ｄ接続を介して互いに通信し得る。この例では、ユーザデバイス１１５−ｂ−６は、ユーザデバイス１１５−ｂ−６に近接した他のユーザデバイス１１５−ｂとの直接Ｄ２Ｄ接続を要求する信号２０５を送信し得る。ユーザデバイス１１５−ｂ−１は、要求を受信し、次いで、ユーザデバイス１１５−ｂ−６との直接Ｄ２Ｄ通信を開始し得る。
【００５３】
[0064]追加の例では、ユーザデバイス１１５−ｂ−２、１１５−ｂ−３はそれぞれ、直接Ｄ２Ｄ接続を介してユーザデバイス１１５−ｂ−１と通信し得る。たとえば、ユーザデバイス１１５−ｂ−１は、ユーザデバイス１１５−ｂ−２、１１５−ｂ−３とのリレーとして働き得る。この例では、使用されるＤ２Ｄ発見リソースは、基地局１０５−ａ−１によって、リレーするユーザデバイス１１５−ｂ−１に割り振られたリソースを含むことになる。代替的に、ユーザデバイス１１５−ｂ−２または１１５−ｂ−３のうちの１つは、ユーザデバイス１１５−ｂ−１と基地局１０５−ａ−２との間のリレーとして働き得る。この例では、使用されるＤ２Ｄ発見リソースは、基地局１０５−ａ−２によってユーザデバイス１１５−ｂ−２、１１５−ｂ−３のうちの１つに割り振られたリソースを含むことになる。また別の例では、基地局１０５−ａ−１、１０５−ａ−２は、ユーザデバイス１１５−ｂに割り振られたＤ２Ｄ発見リソースがカバレージエリア１１０−ａ−１、１１０−ａ−２内で一定のままであることを保証するために、互いに通信し得る。特定のユーザデバイス（たとえば、ユーザデバイス１１５−ｂ−２）のためのＤ２Ｄ発見リソース割振りが、複数の基地局１１５−ｂ（たとえば、基地局１０５−ａ−１、１０５−ａ−２）にわたって一致する場合、カバレージエリア１１０−ａ−１、１１０−ａ−２の間をユーザデバイス１１５−ｂが移動するとき、ユーザデバイスは、更新された発見リソースを要求する必要はない。
【００５４】
[0065]しかし、上記で説明したＤ２Ｄ通信の例のいずれかが行われる前に、ピア発見信号２０５を送信／受信するユーザデバイス１１５は、Ｄ２Ｄ発見のためにどのリソースが割り振られるのかを決定する必要があり得る。Ｄ２Ｄ発見リソース割振りは、基地局１０５−ａ−１、１０５−ａ−２のうちの１つによって実行され得る。ユーザデバイス１１５−ｂは、Ｄ２Ｄ発見に関与するより前に基地局１０５−ａにＤ２Ｄ発見リソース割振り情報を要求する必要があり得る。これらの通信を容易にするために、以下で説明するように、Ｄ２Ｄ発見リソースメッセージングプロトコルが使用され得る。
【００５５】
[0066]図３は、基地局１０５−ｂとユーザデバイス１１５−ｃ−１、１１５−ｃ−２との間のＤ２Ｄ発見通信の実施形態を示すメッセージフロー図３００である。基地局１０５−ｂおよびユーザデバイス１０５−ｃは、図１または図２において説明した基地局１０５およびユーザデバイス１１５の例であり得る。
【００５６】
[0067]一構成では、ユーザデバイス１１５−ｃ−１がＤ２Ｄ発見において使用されるべきである。そうするために、ユーザデバイス１１５−ｃ−１は、最初に、基地局１０５−ｂにＤ２Ｄ発見リソース要求３０５を送信することによって、基地局１０５−ｂに接触する。Ｄ２Ｄ発見リソース要求３０５は、ユーザデバイス１１５−ｃ−１に割り振られるべきＤ２Ｄ発見リソースについてのユーザデバイス１１５−ｃ−１からの要求である。要求３０５に応答して、基地局１０５−ｂは、ユーザデバイス１１５−ｃ−１に、Ｄ２Ｄ発見リソース応答３１０を送信する。Ｄ２Ｄ発見リソース応答３１０は、ユーザデバイス１１５−ｃ−１に、Ｄ２Ｄ発見のためにユーザデバイス１１５−ｃ−１に割り振られた発見リソースのタイプを示す。たとえば、ユーザデバイス１１５に割り振られ得る発見リソースの１つのタイプは、タイプ１または共通リソース割振りと呼ばれる。共通またはタイプ１である発見リソースは、所与のユーザデバイスに特定のものではなく、代わりに、１つよりも多くのユーザデバイスがＤ２Ｄ発見に使用すべきリソースを自律的に選択し得る発見リソースのプールを表す。ユーザデバイス１１５に割り振られ得る発見リソースの別のタイプは、タイプ２または専用リソース割振りと呼ばれる。タイプ２または専用リソースは、個別のユーザデバイス１１５に一意に割り振られる。タイプ２または専用リソース割振りは、タイプ２Ａとタイプ２Ｂとの２つの異なる変形形態を含む。タイプ２Ａでは、発見信号送信ごとに専用Ｄ２Ｄ発見リソースがユーザデバイス１１５に割り振られる。したがって、ユーザデバイス１１５がタイプ２Ａ専用発見リソースを使用すると、ユーザデバイス１１５がさらなるＤ２Ｄ発見に関与すべきである場合、ユーザデバイス１１５は、基地局１０５に追加のＤ２Ｄ発見リソース割振りを要求する必要があり得る。タイプ２Ｂでは、専用Ｄ２Ｄ発見リソースが特定の継続時間の間ユーザデバイス１１５に割り振られる。識別された継続時間は、ユーザデバイス１１５が関与し得るＤ２Ｄ発見送信の数で表され得る。代替的に、識別された継続時間は、時間の持続期間で表され得る。したがって、タイプ２Ａ割振りは、実際には、タイプ２Ｂ割振りの特殊な場合のバージョンであり、ここで、タイプ２Ａでは、識別された継続時間は、単一の送信である。
【００５７】
[0068]ユーザデバイス１１５−ｃ−１が、それの割振りがタイプ１またはタイプ２のいずれかのＤ２Ｄ発見リソースであるＤ２Ｄ発見リソース応答３１０を受信すると、ユーザデバイス１１５−ｃ−１は、割り振られたリソースを使用してＤ２Ｄ発見に関与し得る。Ｄ２Ｄ発見の一例として、ユーザデバイス１１５−ｃ−１は、第１のＤ２Ｄ発見信号３１５を送信するために使用され得るＤ２Ｄ発見リソースを識別するために、受信されたＤ２Ｄ発見リソース応答３１０を使用し得る。第１のＤ２Ｄ発見信号３１５は、たとえば、Ｄ２Ｄ発見に参加したいという要求であり得る。別のユーザデバイス１１５−ｃ−２は、第１のＤ２Ｄ発見信号３１５を受信し得、第２のＤ２Ｄ発見信号３２０を送信することによって応答することを選択し得る。第２のＤ２Ｄ発見信号３２０は、Ｄ２Ｄ発見についてのユーザデバイス１１５−ｃ−１の要求を受け入れる応答であり得る。Ｄ２Ｄ発見信号３１５、３２０が交換された後、ユーザデバイス１１５−ｃ−１、１１５−ｃ−２は、互いとの直接Ｄ２Ｄ通信３２５に参加することが可能である。
【００５８】
[0069]図３に関して上記で説明した例では、ユーザデバイス１１５−ｃ−２は、ユーザデバイス１１５−ｃ−１から第１のＤ２Ｄ発見信号３１５を受信することが可能であった。これは、ユーザデバイス１１５−ｃ−２も、どのＤ２Ｄ発見リソースを監視すべきかに気づいていたことを意味する。図３に示されていないが、ユーザデバイス１１５−ｃ−２は、基地局１０５−ｂとの追加のＤ２Ｄ発見リソース要求／応答の交換を通して知り得、ここで、基地局１０５−ｂが、ユーザデバイス１１５−ｃ−２に、（リソースがタイプＩであるのか、またはタイプ２であるのかにかかわらず）すべてのＤ２Ｄ発見リソースを監視すべきと識別した。
【００５９】
[0070]図４は、本開示の様々な態様による、ワイヤレス通信において使用するための装置４０５のブロック図４００の一例である。いくつかの例では、装置４０５は、図１、図２および／または図３を参照しながら説明したユーザデバイス１１５のうちの１つまたは複数の態様の一例であり得、Ｄ２Ｄ発見リソース要求および応答を送信および受信し得る。装置４０５はまた、プロセッサであり得る。装置４０５は、ユーザデバイス受信機モジュール４１０、ユーザデバイスＤ２Ｄ発見モジュール４１５、および／またはユーザデバイス送信機モジュール４２０を含み得る。これらの構成要素の各々は、互いに通信していることがある。
【００６０】
[0071]装置４０５の構成要素は、ハードウェアにおいて適用可能な機能の一部または全部を実行するように適応された１つまたは複数の特定用途向け集積回路（ＡＳＩＣ）を使用して、個々にまたは集合的に実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００６１】
[0072]いくつかの例では、ユーザデバイス受信機モジュール４１０は、無線周波数スペクトルを介した送信を受信するように動作可能な少なくとも１つの無線周波数（ＲＦ）受信機などの少なくとも１つのＲＦ受信機を含み得る。いくつかの例では、無線周波数スペクトルは、たとえば、図１および図２に関して説明したように、ＬＴＥ／ＬＴＥ−Ａ通信のために使用され得る。ユーザデバイス受信機モジュール４１０は、図１および／または図２を参照しながら説明したワイヤレス通信システム１００の１つまたは複数の通信リンク１２５などの、ワイヤレス通信システムの１つまたは複数の通信リンクを介して、様々なタイプのデータまたは制御信号（すなわち、送信）を受信するために使用され得る。ユーザデバイス受信機モジュール４１０によって受信されるデータまたは制御信号のタイプの例としては、図３を参照しながら説明したＤ２Ｄ発見リソース応答３１０がある。
【００６２】
[0073]いくつかの例では、ユーザデバイス送信機モジュール４２０は、発見メッセージを送信するように動作可能な少なくとも１つのＲＦ送信機などの少なくとも１つのＲＦ送信機を含み得る。ユーザデバイス送信機モジュール４２０は、図１および／または図２を参照しながら説明したワイヤレス通信システム１００の１つまたは複数の通信リンク１２５などの、ワイヤレス通信システムの１つまたは複数の通信リンクを介して、様々なタイプのデータまたは制御信号（すなわち、送信）を送信するために使用され得る。ユーザデバイス送信機モジュール４２０によって送信されるデータまたは制御信号のタイプの例としては、図３を参照しながら説明したＤ２Ｄ発見リソース要求３０５がある。
【００６３】
[0074]いくつかの例では、ユーザデバイスＤ２Ｄ発見モジュール４１５は、ユーザデバイス受信機モジュール４１０および／またはユーザデバイス送信機モジュール４２０を介してＤ２Ｄ発見リソース要求３０５の送信およびＤ２Ｄ発見リソース応答３１０の受信（図３参照）を管理するために使用され得る。Ｄ２Ｄ発見リソース要求および応答の送信および受信を管理することは、Ｄ２Ｄ発見リソースを要求することと、特定のタイプのＤ２Ｄ発見リソースの割振りならびに関連情報を受信することと、（図３の）Ｄ２Ｄ発見信号３１５、３２０を受信および送信するプロセスに、受信されたＤ２Ｄ発見リソース情報を適用することとを含み得る。
【００６４】
[0075]図５に、本開示の様々な態様による、ワイヤレス通信において使用する（図４の）装置４０５の１つまたは複数の態様の一例であり得る装置４０５−ａを含むブロック図５００を示す。いくつかの例では、装置４０５−ａは、図４のユーザデバイス受信機モジュール４１０およびユーザデバイス送信機モジュール４２０の例である、ユーザデバイス受信機モジュール４１０−ａとユーザデバイス送信機モジュール４２０−ａとを含み得る。追加の例では、装置４０５−ａは、図４のユーザデバイスＤ２Ｄ発見モジュール４１５の１つまたは複数の態様の一例であり得る、ユーザデバイスＤ２Ｄ発見モジュール４１５−ａを含み得る。いくつかの例では、ユーザデバイスＤ２Ｄ発見モジュール４１５−ａは、発見リソース要求モジュール５０５と、発見リソース情報モジュール５１０と、発見グループモジュール５１５と、発見タイミングモジュール５２０とを含み得る。Ｄ２Ｄ発見リソース情報は、（図３の）Ｄ２Ｄ発見リソース応答３１０中で受信され得るので、モジュール５０５、５１０、５１５、５２０はそれぞれ、情報を要求、受信、および適用する態様において使用され得る。図５に特定の例を示すが、モジュール５０５、５１０、５１５、５２０の各々によって実行される機能は、組み合わされるか、あるいは１つまたは複数の他のモジュールにおいて実施され得る。
【００６５】
[0076]発見リソース要求モジュール５０５により、（ユーザデバイス１１５などの）装置４０５−ａは、（図３の）Ｄ２Ｄ発見リソース要求３０５を介して、たとえば、基地局からのＤ２Ｄ発見リソースの割振りを要求することが可能になる。一実施形態では、発見リソース要求モジュール５０５は、Ｄ２Ｄ発見リソース要求３０５を生成する。たとえば、発見リソース要求モジュール５０５は、新しいＲＲＣメッセージとしてＤ２Ｄ発見リソース要求３０５を生成し得る。ＲＲＣメッセージは、Ｄ２Ｄ発見リソースについての要求を含むことになる。代替的に、発見リソース要求モジュール５０５は、修正されたバッファステータス報告（ＢＳＲ）メッセージとしてＤ２Ｄ発見リソース要求３０５を生成し得る。修正されたＢＳＲメッセージは、Ｄ２Ｄ発見に関係するメッセージを示す新しいフィールドを含み、したがって、該メッセージを、ワイドエリアネットワーク（ＷＡＮ）動作に関係する他のＢＳＲメッセージと区別する。修正されたＢＳＲメッセージは、Ｄ２Ｄ発見リソースについての要求を含むことになる。追加の実施形態として、発見リソース要求モジュール５０５は、修正されたランダムアクセスチャネル（ＲＡＣＨ）メッセージとしてＤ２Ｄ発見リソース要求３０５を生成し得る。修正されたＲＡＣＨメッセージはまた、ＷＡＮ動作にではなく、Ｄ２Ｄ発見に関係するメッセージを示す新しいフィールドを含むことになる。修正されたＲＡＣＨメッセージは、Ｄ２Ｄ発見リソースについての要求を含むことになる。
【００６６】
[0077]生成されたＤ２Ｄ発見リソース要求３０５は、要求以外の追加情報を含むことも、含まないこともある。たとえば、Ｄ２Ｄ発見リソース要求３０５は、装置４０５−ａ（たとえば、ユーザデバイス１１５）がＤ２Ｄ発見に参加することを認可されていることを示し得る。別の例として、装置４０５−ａ（たとえば、ユーザデバイス１１５）が、現在、いかなる有効な割り振られたＤ２Ｄ発見リソースも有しない場合、または装置４０５−ａが、現在、タイプＩ（共通の）Ｄ２Ｄ発見リソースを割り振られている場合、Ｄ２Ｄ発見リソース応答３１０はエンプティであり得る。Ｄ２Ｄ発見リソース要求３０５が拒絶された場合、装置４０５−ａは、いかなる現在有効な割り振られたＤ２Ｄ発見リソースも有し得ない。代替的に、Ｄ２Ｄ発見リソース要求３０５は、現在割り振られたＤ２Ｄ発見リソースとそれらのソースとに関係する情報を含み得る。たとえば、装置４０５−ａ（たとえば、ユーザデバイス１１５）が、（図１および／または図２の）１つの基地局１０５のカバレージエリア１１０から別のカバレージエリアに移動するときには、Ｄ２Ｄ発見リソース要求３０５中に、現在割り振られたＤ２Ｄ発見リソースおよびそれらのソースを含むことが有益であり得、したがって、ソース基地局１０５によって以前に割り振られたＤ２Ｄ発見リソースを新しいターゲット基地局１０５に通知することができる。ターゲット基地局１０５は、次いで、説明する実施形態を実装する基地局１０５に関して以下でより詳細に説明するように、ソース基地局１０５と通信し得る。
【００６７】
[0078]いくつかの事例では、Ｄ２Ｄ発見リソース要求３０５は、装置４０５−ａがＤ２Ｄ発見に参加することを認可されていることを示すインジケータを含み得る。代替的に、Ｄ２Ｄ発見リソース要求３０５が基地局によって受信されると、接続されたモビリティ管理エンティティ（ＭＭＥ）は、基地局に、装置４０５−ａがＤ２Ｄ発見に参加することを認可されていることを示し得る。
【００６８】
[0079]いくつかの事例では、装置４０５−ａ（たとえば、ユーザデバイス１１５）は、１つよりも多くのＤ２Ｄ発見メッセージまたは式のためのＤ２Ｄ発見リソース割振りを必要とし得る。そのような場合、装置４０５−ａは、１つよりも多くのＤ２Ｄ発見リソース要求３０５を提出（submit）する必要があり得る。代替的に、Ｄ２Ｄ発見リソース要求３０５は、装置４０５−ａによって何個のＤ２Ｄ発見リソース割振りが必要であるかのインジケータを含み得る。いくつかの事例では、様々なＤ２Ｄ発見メッセージは、異なるタイプのＤ２Ｄ発見リソースを割り振られ得る。装置４０５−ａは、割り振られるべきＤ２Ｄ発見リソースの一部が、共通のもの（タイプ１）になるべきだが、他のものが専用のもの（タイプ２）になるべきであると事前に決定する場合、発見リソース要求モジュール５０５は、その情報をＤ２Ｄ発見リソース要求３０５中に含めることができる。
【００６９】
[0080]Ｄ２Ｄ発見リソース要求３０５に応答して、基地局１０５は、接続されたＭＭＥと通信した後の、自律的に、いずれかで、ユーザデバイス１１５にＤ２Ｄ発見リソースを割り振り得る。基地局１０５はまた、ユーザデバイス１１５にＤ２Ｄ発見リソースを割り振るときに、割り振られたＤ２Ｄ発見リソースについてＭＭＥに通知し得る。そのような通知は、式インデックスの形であり得る。代替的に、ＭＭＥは、ユーザデバイス１１５への割振りに関して情報をすでに有していることがある。このシナリオでは、ユーザデバイス１１５が基地局１０５にＤ２Ｄ発見リソース要求３０５を送信するときには、基地局１０５は、次いで、接続されたＭＭＥを照会し、次いで、ＭＭＥに従ってＤ２Ｄ発見リソースを割り振る。別の代替では、接続されたＭＭＥは、基地局１０５に、要求元ユーザデバイス１１５が特定の共通のＤ２Ｄ発見リソースと専用のＤ２Ｄ発見リソースとを割り振られ得ることを知らせることができる。ＭＭＥから戻された情報は、共通のＤ２Ｄ発見リソースと専用のＤ２Ｄ発見リソースとの両方のための式インデックスとして通信され得る。１つまたは複数のＤ２Ｄ発見リソースがユーザデバイス１１５に専用のものであるべきである場合、専用リソースのための無線リソースＩＤが与えられ得る。
【００７０】
[0081]ユーザデバイスＤ２Ｄ発見モジュール４１５−ａはまた、発見リソース情報モジュール５１０を含み得る。発見リソース情報モジュール５１０は、装置４１５−ａ（たとえば、ユーザデバイス１１５）によって使用される現在のＤ２Ｄ発見リソースに関係する情報を記憶し得る。たとえば、発見リソース情報モジュール５１０は、（図３の）Ｄ２Ｄ発見リソース応答３１０を介して基地局１０５から受信されたＤ２Ｄ発見リソース割振りを記憶し得る。記憶される情報は、実際のＤ２Ｄ発見リソース割振りと割振りのタイプとを含み得る。タイプ１のＤ２Ｄ発見リソース割振りの場合、Ｄ２Ｄ発見リソース割振りを識別する情報は、単なる数、またはＤ２Ｄ発見リソースプール内に共通に割り振られたサブフレームの数を含み得る。
【００７１】
[0082]タイプ２のＤ２Ｄ発見リソース割振りの場合、Ｄ２Ｄ発見リソース割振りを識別する情報は、一実施形態では、開始および終了リソースブロック（ＲＢ）と割り振られたＤ２Ｄ発見リソースプール内のサブフレーム番号とを含み得る。代替的に、Ｄ２Ｄ発見リソース割振りを識別する情報は、代わりに、開始ＲＢおよび（開始ＲＢから始まる、割り振られたＲＢの数を表す）ＲＢの長さ、ならびに割り振られたＤ２Ｄ発見リソースプール内のサブフレーム番号を含み得る。別の実施形態では、Ｄ２Ｄ発見リソース割振りを識別する情報は、割り振られたＤ２Ｄ発見リソースプール内のサブフレーム番号とともに発見リソースのインデックスを含み得る。
【００７２】
[0083]タイプ２ＢのＤ２Ｄ発見リソース割振りの場合、Ｄ２Ｄ発見リソース割振りを識別する情報は、装置４０５−ａ（たとえば、ユーザデバイス１１５）が使用するために割り振られたリソースが利用可能である継続時間を含み得る。たとえば、使用の継続時間は、割り振られた発見リソースが使用され得る回数として示され得る。代替的に、使用の継続時間は、割り振られた発見リソースが使用され得る持続時間として示され得る。
【００７３】
[0084]別の例として、発見リソース情報モジュール５１０は、Ｄ２Ｄ発見リソース割振りのタイプ（たとえば、タイプ１またはタイプ２）を記憶し得る。さらに、発見リソース情報モジュール５１０は、Ｄ２Ｄ発見リソースの現在の割振りを行った基地局１０５の識別子を記憶し得る。
【００７４】
[0085]発見リソース情報モジュール５１０は、情報を記憶し得る。発見リソース情報モジュール５１０によって記憶される情報は、（図３の）Ｄ２Ｄ発見リソース応答３１０の形で装置４０５−ａ（たとえば、ユーザデバイス１１５）によって受信され得る。さらに、発見リソース情報モジュール５１０は、基地局１０５に対して行われる任意の要求中に含まれるべき記憶された情報の一部または全部を発見リソース要求モジュール５０５に与え得る。特に、たとえば、装置４０５−ａ（たとえば、ユーザデバイス１１５）が、（図１および／または図２の）１つの基地局１０５のカバレージエリア１１０から別のものに移動するときには、発見リソース要求モジュール５０５によって生成されたＤ２Ｄ発見リソース要求３０５中に、現在割り振られたＤ２Ｄ発見リソースおよびそれらのソース（たとえば、現在の割振りを行った基地局１０５の識別子）を含むことが有益であり得、したがって、ソース基地局１０５によって以前に割り振られたＤ２Ｄ発見リソースを新しいターゲット基地局１０５に通知することができる。ターゲット基地局１０５は、次いで、説明する実施形態を実装する基地局１０５に関して以下でより詳細に説明するように、ソース基地局１０５と通信し得る。
【００７５】
[0086]ユーザデバイスＤ２Ｄ発見モジュール４１５−ａはまた、発見グループモジュール５１５を含み得る。発見グループモジュール５１５は、各々が装置４０５−ａ（たとえば、ユーザデバイス１１５）に同じＤ２Ｄ発見リソースを割り振った基地局１０５のグループ内に含まれる基地局１０５に関係する情報を記憶し得る。したがって、装置４０５−ａが異なるカバレージエリア１１０（図１および／または図２参照）に移動する場合、装置４０５−ａは、更新されたＤ２Ｄ発見リソースを要求する必要はない。代わりに、装置４０５−ａは、発見グループモジュール５１５内に記憶された情報をチェックし得る。新しいまたはターゲットの基地局１０５が、装置４０５−ａに同じＤ２Ｄ発見リソースを割り振った基地局１０５のグループ内にあると識別される場合、装置４０５−ａは、Ｄ２Ｄ発見リソースの更新された割振りを要求する必要はない。
【００７６】
[0087]発見グループモジュール５１５は、基地局１０５から受信されたときに基地局グループ情報を記憶し得る。一実施形態では、発見グループモジュール５１５は、基地局１０５に関連付けられたグループ番号を表すＳＩＢメッセージ中でインジケータを受信する。同じグループ番号を共有するすべての基地局１０５は、装置４０５−ａに同じＤ２Ｄ発見リソースを割り振る。代替的に、発見グループモジュール５１５は、ソース基地局１０５に近接している、装置４０５−ａに同じＤ２Ｄ発見リソースを割り振った各基地局の識別子を受信し得る。別の実施形態では、発見グループモジュール５１５は、装置４０５−ａに同じＤ２Ｄ発見リソースを割り振る基地局１０５のグループがページングのために使用するトラッキングエリアと同じであるというインジケータを受信する。
【００７７】
[0088]装置４０５−ａは、装置が行うＤ２Ｄ発見リソース要求の数を制限し、さらに、以前に割り振られたＤ２Ｄ発見リソースの解放を容易にするために、受信されたグループ情報を使用し得る。たとえば、装置４０５−ａは、各々が装置４０５−ａに同じＤ２Ｄ発見リソースを割り振っている基地局１０５のグループのメンバーである基地局１０５のカバレージエリアに移動する場合、装置４０５−ａは、追加のＤ２Ｄ発見リソースを要求する必要はない。しかし、装置４０５−ａが、このグループの外部にあるカバレージエリア１１０に移動する場合、装置４０５−ａは、新しいターゲット基地局１０５に追加のＤ２Ｄ発見リソースを要求する必要があり得る。ターゲット基地局１０５が、Ｄ２Ｄ発見リソースについての要求を受信するときには、ターゲット基地局１０５は、ソース基地局１０５またはソース基地局１０５を含むグループ中の基地局１０５のすべてに通知し得、その結果、以前に割り振られたＤ２Ｄ発見リソースが解放され得る。代替的に、ターゲット基地局１０５は、ソース基地局１０５と通信することができ、次に、ソース基地局は、それのグループ内のすべての他の基地局１０５と通信することができ、したがって、グループ中のあらゆる基地局１０５は、以前に割り振られたリソースを解放することができる。さらなる代替として、ターゲット基地局１０５は、ＭＭＥに通知することができ、ＭＭＥは、Ｄ２Ｄ発見リソースを解放すべきであることをソース基地局１０５のグループ中の各基地局１０５に通知することができる。
【００７８】
[0089]ユーザデバイスＤ２Ｄ発見モジュール４１５−ａはまた、発見タイミングモジュール５２０を含み得る。発見タイミングモジュール５２０は、現在または将来の発見窓に関して割り振られた発見リソースが使用され得るときを管理する命令および／またはインジケータを含み得る。図１１の図は、発見タイミングモジュール５２０の機能を理解するのに有益である。
【００７９】
[0090]図１１に、デバイス間発見リソースを示すブロック図を示す。図１１に示すように、リソース１１００は、Ｄ２Ｄ発見のために、ならびにネットワーク通信のために割り振られ得る。したがって、図１１に示すリソース１１００は、図１、図２、および／または図３に関して説明したように、ユーザデバイス１１５と基地局１０５との間の通信のいずれかの間に使用されるリソースの例であり得る。これらのリソースは、周期的に利用可能な発見期間１１０５に編成され得る。発見期間１１０５は、発見窓１１１０と、その後に続く非発見窓１１１５とを含み得る。一般に、非発見窓１１１５は、ＷＡＮ動作などの非発見動作を容易にするので、非発見窓１１１５は発見窓１１１０よりもはるかに大きい／長い。発見窓１１１０は、発見期間１１０５全体の一部分にすぎない。発見窓１１１０自体は、発見サブフレーム１１２０−１、１１２０−２と非発見サブフレーム１１２５−１、１１２５−２との両方から構成される。発見サブフレーム１１２０−１、１１２０−２は、Ｄ２Ｄ発見において使用するために割り振られ得る。非発見サブフレーム１１２５−１、１１２５−２は、ＷＡＮ動作などの非発見関連の通信のために予約され得る。したがって、所与の発見期間１１０５において、比較的小さい発見窓１１１０内でのみ、および発見窓１１１０のいくつかの発見サブフレーム１１２０−１、１１２０−２内でのみ、Ｄ２Ｄ発見動作が行われ得る。
【００８０】
[0091]次に、図５の発見タイミングモジュール５２０に戻ると、発見タイミングモジュール５２０は、現在または将来の発見窓に関して割り振られた発見リソースが使用され得るときを管理する。装置４０５−ａが、（図１１の）発見窓１１１０の外の時間中に（図３の）Ｄ２Ｄ発見リソース応答３１０を受信する場合、発見タイミングモジュール５２０は、割り振られたＤ２Ｄ発見リソースがいつ使用されるべきかを決定する。概して、装置４０５−ａが、発見窓１１１０の外でＤ２Ｄ発見リソース応答３１０を受信する場合、発見タイミングモジュール５２０は、割り振られたリソースがすぐ隣の発見窓１１１０中に有効であると決定する。装置４０５−ａが、発見窓１１１０内でＤ２Ｄ発見リソース応答３１０を受信する場合、発見タイミングモジュール５２０は、割り振られたリソースがすぐ隣の発見窓１１１０中にも有効であると決定する。
【００８１】
[0092]代替として、Ｄ２Ｄ発見リソース応答３１０が、所定のしきい値時間の前に受信される場合、発見タイミングモジュール５２０は、Ｄ２Ｄ発見リソース応答３１０が発見窓１１１０内で受信されるのか、またはそれの外で受信されるのかにかかわらず、割り振られたリソースが直ちに有効であると決定する。所定のしきい値時間は、たとえば、ＳＩＢメッセージ中または何らかの他の専用メッセージ中のパラメータとして装置４０５−ａに通信され得る。
【００８２】
[0093]また別の実施形態では、割り振られたＤ２Ｄ発見リソースのアクティブ化は、新しいまたは既存のダウンリンク制御情報（ＤＣＩ）フォーマット物理的レベル信号の受信を必要とし得る。装置４０５−ａが、発見窓１１１０の外の時間中にＤＣＩ信号を受信する場合、発見タイミングモジュール５２０は、割り振られたリソースがすぐ隣の発見窓１１１０中に有効であると決定する。装置４０５−ａが、発見窓１１１０内でアクティブ化ＤＣＩ信号を受信する場合、発見タイミングモジュール５２０は、割り振られたリソースがすぐ隣の発見窓１１１０中にも有効であると決定する。
【００８３】
[0094]さらなる代替として、アクティブ化ＤＣＩ信号が、所定のしきい値時間の前に受信される場合、発見タイミングモジュール５２０は、ＤＣＩ信号が発見窓１１１０内で受信されるのか、またはそれの外で受信されるのかにかかわらず、割り振られたリソースが直ちに有効であると決定する。所定のしきい値時間は、たとえば、ＳＩＢメッセージ中または何らかの他の専用メッセージ中のパラメータとして装置４０５−ａに通信され得る。
【００８４】
[0095]図６に、本開示の様々な態様による、ワイヤレス通信において使用するためのユーザデバイス６１５のブロック図６００を示す。ユーザデバイス６１５は、様々な構成を有し得、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット機器、ゲームコンソール、電子リーダーなどに含まれるか、またはその一部であり得る。ユーザデバイス６１５は、いくつかの例では、モバイル動作を容易にするために、小型バッテリーなどの内部電源を有し得る。いくつかの例では、ユーザデバイス６１５は、図１、図２、図３、図４、および／または図５を参照しながら説明したユーザデバイス１１５または装置４０５のうちの１つの１つまたは複数の態様の一例であり得る。ユーザデバイス６１５は、図１、図２、図３、図４、および／または図５を参照しながら説明した特徴および機能のうちの少なくともいくつかを実施するように構成され得る。
【００８５】
[0096]ユーザデバイス６１５は、ユーザデバイスプロセッサモジュール６０５、ユーザデバイスメモリモジュール６１０、（ユーザデバイストランシーバモジュール６３０によって表される）少なくとも１つのユーザデバイストランシーバモジュール、（ユーザデバイスアンテナ６３５によって表される）少なくとも１つのユーザデバイスアンテナ、またはユーザデバイスＤ２Ｄ発見モジュール４１５−ｂを含み得る。これらの構成要素の各々は、１つまたは複数のユーザデバイスバス６２５を介して、直接または間接的に互いに通信していることがある。
【００８６】
[0097]ユーザデバイスメモリモジュール６１０は、ランダムアクセスメモリ（ＲＡＭ）または読取り専用メモリ（ＲＯＭ）を含み得る。ユーザデバイスメモリモジュール６１０は、実行されたとき、たとえば、発見関連メッセージを通信するための本明細書に説明する様々な機能をユーザデバイスプロセッサモジュール６０５に実行させるように構成された命令を含む、コンピュータ可読、コンピュータ実行可能ユーザデバイスソフトウェア（ＳＷ）コード６２０を記憶し得る。代替的に、ユーザデバイスソフトウェアコード６２０は、ユーザデバイスプロセッサモジュール６０５によって直接実行可能でないことがあるが、（たとえば、コンパイルされ実行されたとき）ユーザデバイス６１５に本明細書で説明する様々な機能を実行させるように構成され得る。
【００８７】
[0098]ユーザデバイスプロセッサモジュール６０５は、インテリジェントハードウェアデバイス、たとえば、ＣＰＵ、マイクロコントローラ、ＡＳＩＣなどを含み得る。ユーザデバイスプロセッサモジュール６０５は、ユーザデバイストランシーバモジュール６３０を通して受信された情報、またはユーザデバイスアンテナ６３５を介した送信のためにユーザデバイストランシーバモジュール６３０に送られるべき情報を処理し得る。ユーザデバイスプロセッサモジュール６０５は、単独でまたはユーザデバイスＤ２Ｄ発見モジュール４１５−ｂとともに、Ｄ２Ｄ発見シグナリングを送信、受信、および管理することの様々な態様を処理し得る。
【００８８】
[0099]ユーザデバイストランシーバモジュール６３０は、パケットを変調し、変調されたパケットを送信のためにユーザデバイスアンテナ６３５に与え、ユーザデバイスアンテナ６３５から受信されたパケットを復調するように構成されたモデムを含み得る。ユーザデバイストランシーバモジュール６３０は、いくつかの例では、１つまたは複数の送信機モジュールおよび１つまたは複数の別個の受信機モジュールとして実装され得る。ユーザデバイストランシーバモジュール６３０は、発見関連の通信をサポートし得る。ユーザデバイストランシーバモジュール６３０は、図１、図２、または図３を参照しながら説明した基地局１０５のうちの１つまたは複数と、ユーザデバイスアンテナ６３５を介して、双方向に通信するように構成され得る。ユーザデバイス６１５は単一のアンテナを含み得るが、ユーザデバイス６１５が複数のユーザデバイスアンテナ６３５を含み得る例があり得る。
【００８９】
[0100]ユーザデバイスＤ２Ｄ発見モジュール４１５−ｂは、Ｄ２Ｄ発見に関係する、図１、図２、図３、図４、または図５を参照しながら説明した特徴または機能の一部または全部を実行または制御するように構成され得る。たとえば、ユーザデバイスＤ２Ｄ発見モジュール４１５−ｂは、Ｄ２Ｄ発見リソース要求および応答の送信および受信、ならびにＤ２Ｄ発見リソース要求および応答によって可能にされるＤ２Ｄ発見の管理をサポートするように構成され得る。いくつかの例では、例として、ユーザデバイスＤ２Ｄ発見モジュール４１５−ｂは、図４または図５を参照しながら説明したユーザデバイスＤ２Ｄ発見モジュール４１５の１つまたは複数の態様の一例であり得る。ユーザデバイスＤ２Ｄ発見モジュール４１５−ｂは、（図５の発見リソース要求モジュール５０５の一例であり得る）発見リソース要求モジュール５０５−ａと、（図５の発見リソース情報モジュール５１０の一例であり得る）発見リソース情報モジュール５１０−ａと、（図５の発見グループモジュール５１５の一例であり得る）発見グループモジュール５１５−ａと、（図５の発見タイミングモジュール５２０の一例であり得る）発見タイミングモジュール５２０−ａと含み得る。ユーザデバイスＤ２Ｄ発見モジュール４１５−ｂ、またはそれの一部分は、プロセッサを含み得、あるいは、ユーザデバイスＤ２Ｄ発見モジュール４１５−ｂの機能の一部または全部は、ユーザデバイスプロセッサモジュール６０５によって、またはユーザデバイスプロセッサモジュール６０５とともに実行され得る。さらに、ユーザデバイスＤ２Ｄ発見モジュール４１５−ｂ、またはそれの一部分は、メモリを含み得、あるいは、ユーザデバイスＤ２Ｄ発見モジュール４１５−ｂの機能の一部または全部は、ユーザデバイスメモリモジュール６１０を使用するか、またはユーザデバイスメモリモジュール６１０とともに使用され得る。
【００９０】
[0101]図７は、本開示の様々な態様による、ワイヤレス通信において使用するための装置７０５のブロック図７００の一例である。いくつかの例では、装置７０５は、図１、図２、または図３を参照して説明する基地局１０５のうちの１つまたは複数の態様の一例であり得る。装置７０５はまた、プロセッサであり得る。装置７０５は、基地局受信機モジュール７１０と、基地局Ｄ２Ｄ発見モジュール７１５と、基地局送信機モジュール７２０とを含み得る。これらの構成要素の各々は、互いに通信していることがある。
【００９１】
[0102]装置７０５の構成要素は、個別にまたは集合的に、ハードウェア中の適用可能な機能の一部または全部を実行するように適応された１つまたは複数のＡＳＩＣを使用して実装され得る。代替的には、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリに組み込まれた命令を用いて実装され得る。
【００９２】
[0103]いくつかの例では、基地局受信機モジュール７１０は、無線周波数スペクトルを介した送信を受信するように動作可能な少なくとも１つの無線周波数受信機などの少なくとも１つのＲＦ受信機を含み得る。いくつかの例では、無線周波数スペクトルは、たとえば、図１および図２に関して説明したように、ＬＴＥ／ＬＴＥ−Ａ通信のために使用され得る。基地局受信機モジュール７１０は、図１または図２を参照しながら説明したワイヤレス通信システム１００の１つまたは複数の通信リンク１２５、１３４などの、ワイヤレス通信システムの１つまたは複数の通信リンクを介して、様々なタイプのデータまたは制御信号（すなわち、送信）を受信するために使用され得る。基地局受信機モジュール７１０によって受信されるデータまたは制御信号のタイプの例としては、図３を参照しながら説明したＤ２Ｄ発見リソース要求３０５がある。
【００９３】
[0104]いくつかの例では、基地局送信機モジュール７２０は、Ｄ２Ｄ発見リソースメッセージを送信するように動作可能な少なくとも１つのＲＦ送信機などの少なくとも１つのＲＦ送信機を含み得る。基地局送信機モジュール７２０は、図１または図２を参照しながら説明したワイヤレス通信システム１００の１つまたは複数の通信リンク１２５、１３４などの、ワイヤレス通信システムの１つまたは複数の通信リンクを介して、様々なタイプのデータまたは制御信号（すなわち、送信）を送信するために使用され得る。基地局送信機モジュール７２０によって送信されるデータまたは制御信号のタイプの例としては、図３を参照しながら説明したＤ２Ｄ発見リソース応答３１０がある。
【００９４】
[0105]いくつかの例では、基地局Ｄ２Ｄ発見モジュール７１５は、基地局受信機モジュール７１０および／または基地局送信機モジュール７２０を介してＤ２Ｄ発見リソース要求３０５の受信およびＤ２Ｄ発見リソース応答３１０の送信（図３参照）を管理するために使用され得る。Ｄ２Ｄ発見リソース要求および応答の受信および送信を管理することは、ユーザデバイス１１５から、Ｄ２Ｄ発見リソースについての要求を受信することと、ユーザデバイス１１５に、特定のタイプのＤ２Ｄ発見リソースの割振りならびに関連情報を送信することと、いくつかのシナリオでは、他の基地局１０５にユーザデバイス１１５とそれの割り振られたＤ２Ｄ発見リソースとに関する情報を転送することとを含み得る。
【００９５】
[0106]図８に、本開示の様々な態様による、ワイヤレス通信において使用する（図７の）装置７０５の１つまたは複数の態様の一例であり得る装置７０５−ａを含むブロック図８００を示す。いくつかの例では、装置７０５−ａは、図７の基地局受信機モジュール７１０および基地局送信機モジュール７２０の例である、基地局受信機モジュール７１０−ａと基地局送信機モジュール７２０−ａとを含み得る。追加の例では、装置７０５−ａは、図７の基地局Ｄ２Ｄ発見モジュール７１５の１つまたは複数の態様の一例であり得る、基地局Ｄ２Ｄ発見モジュール７１５−ａを含み得る。いくつかの例では、基地局Ｄ２Ｄ発見モジュール７１５−ａは、発見リソース割当てモジュール８０５と、発見リソース解放モジュール８１０と、グループ発見リソースモジュール８１５とを含み得る。モジュール８０５、８１０、８１５はそれぞれ、（図３の）Ｄ２Ｄ発見リソース要求３０５およびＤ２Ｄ発見リソース応答３１０の形でＤ２Ｄ発見リソースについての要求を受信し、それに応答する態様において使用され得る。図８に特定の例を示すが、モジュール８０５、８１０、８１５の各々によって実行される機能は、組み合わされるか、あるいは１つまたは複数の他のモジュールにおいて実施され得る。
【００９６】
[0107]発見リソース割当てモジュール８０５により、（基地局１０５などの）装置７０５−ａは、同じ要求に応答してＤ２Ｄ発見リソースを割り振ることが可能になる。一実施形態では、装置７０５−ａは、ユーザデバイス１１５から、Ｄ２Ｄ発見リソースについての要求を含むＤ２Ｄ発見リソース要求３０５（図３参照）を受信する。Ｄ２Ｄ発見リソース要求３０５はまた、ユーザデバイス１１５に割り振られたＤ２Ｄ発見リソースの現在の割振りに関係する情報を含み得る。Ｄ２Ｄ発見リソース要求３０５はまた、ユーザデバイス１１５の識別情報、ならびに現在割り振られたＤ２Ｄ発見リソースを割り振られたソース基地局１０５の識別情報を含み得る。Ｄ２Ｄ発見リソース要求３０５は、上記で説明したように、他の情報を含み得、同じく上記で説明したフォーマットまたはメッセージタイプのいずれかの中にあり得る。
【００９７】
[0108]一実施形態では、発見リソース割当てモジュール８０５は、Ｄ２Ｄ発見リソース要求３０５を受信し、Ｄ２Ｄ発見リソース応答３１０の形で応答を生成する。生成されたＤ２Ｄ発見リソース応答３１０は、多くの形であり得る。一実施形態では、Ｄ２Ｄ発見リソース応答３１０は、新しいまたは修正されたRRCConnectionReconfigurationメッセージのいずれかである。新しいまたは修正されたRRCConnectionReconfigurationメッセージは、必要なＤ２Ｄ発見リソース応答を搬送することと、新しいまたは修正されたＲRCConnectionReconfigurationメッセージを修正されていないRRCConnectionReconfigurationメッセージと区別することとを行うために、追加のパラメータまたはフィールドを含む。新しいまたは修正されたRRCConnectionReconfigurationメッセージは、ユーザデバイスにタイプ１のＤ２Ｄ発見リソースが割り振られるべきか、またはタイプ２のＤ２Ｄ発見リソースが割り振られるべきかのインジケータを含む。新しいまたは修正されたRRCConnectionReconfigurationメッセージはまた、ユーザデバイス１１５に割り振られたＤ２Ｄ発見リソースを識別する情報を含み得る。たとえば、タイプ１の割振りについて、含まれた識別情報は、Ｄ２Ｄ発見のために利用可能なサブフレーム番号の識別情報であり得る。タイプ２の割振りの場合、含まれた識別情報は、割り振られた発見リソースプール内のサブフレーム番号に加えて、開始ＲＢおよび終了ＲＢの形であり得る。代替として、タイプ２の割振りの場合、含まれた識別情報は、割り振られた発見リソースプール内のサブフレーム番号に加えて、開始ＲＢおよび割り振られるべきＲＢの長さの形であり得る。代替的に、タイプ２の割振りの場合、含まれた識別情報は、割り振られた発見リソースプール内の特定のサブフレーム番号とともに、発見リソースのインデックスの形であり得る。さらに、タイプ２Ｂの割振りの場合、Ｄ２Ｄ発見リソース応答３１０は、専用のＤ２Ｄ発見リソースがユーザデバイス１１５による使用のために割り振られた継続時間を含み得る。継続時間は、ユーザデバイス送信回数の許容数または持続時間のいずれかの形で示され得る。
【００９８】
[0109]別の実施形態では、Ｄ２Ｄ発見リソース応答３１０は、アップリンクのためのＤ２Ｄ送信リソース割振りを許可する新しいまたは修正されたＤＣＩメッセージのいずれかである。新しいまたは修正されたＤＣＩメッセージは、必要なＤ２Ｄ発見リソース応答を搬送することと、新しいまたは修正されたＤＣＩメッセージを修正されていないＤＣＩメッセージと区別することとを行うために、追加のパラメータまたはフィールドを含む。新しいまたは修正されたＤＣＩメッセージは、ユーザデバイス１１５にタイプ１のＤ２Ｄ発見リソースが割り振られるべきか、またはタイプ２のＤ２Ｄ発見リソースが割り振られるべきかのインジケータを含む。新しいまたは修正されたＤＣＩメッセージはまた、ユーザデバイス１１５に割り振られたＤ２Ｄ発見リソースを識別する情報を含み得る。たとえば、タイプ１の割振りについて、含まれた識別情報は、Ｄ２Ｄ発見のために利用可能なサブフレーム番号の識別情報であり得る。タイプ２の割振りの場合、含まれた識別情報は、割り振られた発見リソースプール内のサブフレーム番号に加えて、開始ＲＢおよび終了ＲＢの形であり得る。代替として、タイプ２の割振りの場合、含まれた識別情報は、割り振られた発見リソースプール内のサブフレーム番号に加えて、開始ＲＢおよび割り振られるべきＲＢの長さの形であり得る。代替的に、タイプ２の割振りの場合、含まれた識別情報は、割り振られた発見リソースプール内の特定のサブフレーム番号とともに、発見リソースのインデックスの形であり得る。さらに、タイプ２Ｂの割振りの場合、Ｄ２Ｄ発見リソース応答３１０は、専用のＤ２Ｄ発見リソースがユーザデバイス１１５による使用のために割り振られた継続時間を含み得る。継続時間は、ユーザデバイス送信回数の許容数または持続時間のいずれかの形で示され得る。
【００９９】
[0110]また別の実施形態では、Ｄ２Ｄ発見リソース応答３１０は、Ｄ２Ｄ発見リソース情報を含むＲＲＣ、ＭＡＣレベル、またはＰＨＹレベルメッセージのいずれかであり得る。ＲＲＣ、ＭＡＣレベル、またはＰＨＹレベルメッセージは、ユーザデバイス１１５にタイプ１のＤ２Ｄ発見リソースが割り振られるべきか、またはタイプ２のＤ２Ｄ発見リソースが割り振られるべきかのインジケータを含む。ＲＲＣ、ＭＡＣレベルまたはＰＨＹレベルメッセージはまた、ユーザデバイス１１５に割り振られたＤ２Ｄ発見リソースを識別する情報を含み得る。たとえば、タイプ１の割振りについて、含まれた識別情報は、Ｄ２Ｄ発見のために利用可能なサブフレーム番号の識別情報であり得る。タイプ２の割振りの場合、含まれた識別情報は、割り振られた発見リソースプール内のサブフレーム番号に加えて、開始ＲＢおよび終了ＲＢの形であり得る。代替として、タイプ２の割振りの場合、含まれた識別情報は、割り振られた発見リソースプール内のサブフレーム番号に加えて、開始ＲＢおよび割り振られるべきＲＢの長さの形であり得る。代替的に、タイプ２の割振りの場合、含まれた識別情報は、割り振られた発見リソースプール内の特定のサブフレーム番号とともに、発見リソースのインデックスの形であり得る。さらに、タイプ２Ｂの割振りの場合、Ｄ２Ｄ発見リソース応答３１０は、専用のＤ２Ｄ発見リソースがユーザデバイス１１５による使用のために割り振られた継続時間を含み得る。継続時間は、ユーザデバイス送信回数の許容数または持続時間のいずれかの形で示され得る。
【０１００】
[0111]さらなる実施形態では、Ｄ２Ｄ発見リソース応答３１０は、さらに、新しいまたは修正されたＤＣＩフォーマットメッセージのいずれかを使用してＰＨＹレベル信号の形でアクティブ化信号を含み得る。新しいまたは修正されたＤＣＩフォーマットメッセージは、新しいまたは修正されたＤＣＩフォーマットメッセージを修正されていないＤＣＩフォーマットメッセージと区別するために、追加のパラメータまたはフィールドを含み得る。新しいまたは修正されたＤＣＩフォーマットメッセージは、割り振られたＤ２Ｄ発見リソースがタイプ２Ｂのリソースであるときに使用され得、ここで、新しいまたは修正されたＤＣＩフォーマットメッセージは、割り振られたＤ２Ｄ発見リソースのアクティブ化を示す。
【０１０１】
[0112]一実施形態では、Ｄ２Ｄ発見リソース応答３１０はエンプティであり得、このようにして、割り振られたＤ２Ｄ発見リソースがタイプ１のものであることをユーザデバイス１１５に示す。代替的に、Ｄ２Ｄ発見リソース応答３１０は、割り振られたＤ２Ｄ発見リソースがタイプ１のものであるというインジケーションのみを含み得る。
【０１０２】
[0113]追加の実施形態では、Ｄ２Ｄ発見リソース応答３１０は、Ｄ２Ｄ発見リソース応答３１０が所定のしきい値時間の前にユーザデバイス１１５によって受信される場合、Ｄ２Ｄ発見リソース応答３１０が（図１１の）発見窓１１１０内で受信されるのか、またはそれの外で受信されるのかにかかわらず、割り振られたリソースがユーザデバイス１１５に対して直ちに有効になる所定のしきい値時間を含み得る。所定のしきい値時間はまた、たとえば、ＳＩＢメッセージ中または何らかの他の専用メッセージ中のパラメータとしてユーザデバイス１１５に通信され得る。
【０１０３】
[0114]また別の実施形態では、Ｄ２Ｄ発見リソース応答３１０はまた、新しいまたは既存のＤＣＩフォーマットＰＨＹレベル信号の形でアクティブ化信号を含み、ならびに適用されるべきアクティブ化信号のための所定のしきい値時間のインジケーションを含み得る。ユーザデバイス１１５が、所定のしきい値時間の前に新しいまたは既存のＤＣＩフォーマットＰＨＹレベルアクティブ化信号を受信する場合、Ｄ２Ｄ発見リソース応答３１０が（図１１の）発見窓１１１０内で受信されるのか、またはそれの外で受信されるのかにかかわらず、割り振られたリソースがユーザデバイス１１５に対して直ちに有効になる。所定のしきい値時間はまた、たとえば、ＳＩＢメッセージ中または何らかの他の専用メッセージ中のパラメータとしてユーザデバイス１１５に通信され得る。
【０１０４】
[0115]いくつかの事例では、発見リソース割当てモジュール８０５は、１つよりも多くのＤ２Ｄ発見メッセージまたは式を必要とする単一のユーザデバイス１１５のためのＤ２Ｄ発見リソース割振りを要求するＤ２Ｄ発見リソース要求を受信し得る。そのような場合、発見リソース割当てモジュール８０５は、ユーザデバイス１１５によって使用されることが予想される各Ｄ２Ｄ発見メッセージまたは式に対応するＤ２Ｄ発見リソースの割振りを含むＤ２Ｄ発見リソース応答３１０を生成し得る。いくつかの事例では、異なるタイプのＤ２Ｄ発見リソースが、異なるＤ２Ｄ発見メッセージまたは式のために割り振られる。異なる割振りは、たとえば、式インデックスを使用して行われ得る。
【０１０５】
[0116]別の事例では、発見リソース割当てモジュール８０５が、同じユーザデバイス１１５のための複数のＤ２Ｄ発見リソース割振りについての要求を受信するとき、発見リソース割当てモジュール８０５は、特定のユーザデバイス１１５に割り振られ得る式の数およびタイプに関する情報を有し得る接続されたＭＭＥを照会し得る。この情報は、ＭＭＥに記憶されるか、または式インデックスとして装置７０５−ａ（たとえば、基地局１０５）に伝達され得る。発見リソース割当てモジュール８０５は、次いで、ＭＭＥから受信された情報に従ってＤ２Ｄ発見リソースを割り振り得る。
【０１０６】
[0117]追加の実施形態では、発見リソース割当てモジュール８０５は、ユーザデバイス１１５からＤ２Ｄ発見リソース要求３０５を受信するのを待つ必要はない。発見リソース割当てモジュール８０５がすでにユーザデバイス１１５に気づいている場合、発見リソース割当てモジュール８０５は、Ｄ２Ｄ発見リソース要求３０５を待つことなしに、ユーザデバイス１１５にＤ２Ｄ発見リソースを割り振り得る。この場合、ユーザデバイス１１５へのＤ２Ｄ発見リソースの割振りは、上記で説明したＤ２Ｄ発見リソース応答３１０構成のうちのいずれか１つを通して行われ得る。
【０１０７】
[0118]基地局Ｄ２Ｄ発見モジュール７１５−ａはまた、発見リソース解放モジュール８１０を含み得る。発見リソース解放モジュール８１０は、他の基地局１１５が、以前に割り振られたＤ２Ｄ発見リソースを解放することを可能にするために、それらの他の基地局１１５との通信を容易にし得る。たとえば、発見リソース割当てモジュール８０５が、ソース基地局１０５によってユーザデバイス１１５に以前に割り振られたＤ２Ｄ発見リソースに関係する情報を含むＤ２Ｄ発見リソース要求３０５を受信すると、発見リソース解放モジュール８１０は、ソース基地局１０５が割り振られたリソースを解放することができることをソース基地局１０５に通知するために、ソース基地局１０５にメッセージを送ることができる。このシナリオについて、図１０に関してより詳細に説明する。
【０１０８】
[0119]図１０は、ユーザデバイス１１５−ｄと２つの基地局１０５−ｃ−１、１０５−ｃ−２との間のＤ２Ｄ発見通信の実施形態を示すメッセージフロー図１０００である。ユーザデバイス１１５−ｄおよび基地局１０５−ｃは、図１、図２、または図６において説明したユーザデバイス１１５および基地局１０５、ならびにそれぞれ図４、図５、図７、または図８で説明した装置４０５、７０５の例であり得る。図１０では、Ｄ２Ｄ発見に参加しており、ソース基地局１０５−ｃ−２によってそれにＤ２Ｄ発見リソースがすでに割り振られているユーザデバイス１１５−ｄは、ソース基地局１０５−ｃ−２のカバレージエリア１１０（たとえば、図１または図２参照）の中から、ターゲット基地局１０５−ｃ−１のカバレージエリア１１０に移動する。したがって、ユーザデバイス１１５−ｄは、ターゲット基地局１０５−ｃ−１によってＤ２Ｄ発見リソースが再割り振りされる必要があり得る。そのために、ユーザデバイス１１５−ｄは、ターゲット基地局１０５−ｃ−１にＤ２Ｄ発見リソース要求３０５−ａを送信する。Ｄ２Ｄ発見リソース要求３０５−ａは、図３に関して説明した、図４、図５、図６、図７、または図８に関して説明したように使用される、Ｄ２Ｄ発見リソース要求３０５の一例であり得る。Ｄ２Ｄ発見リソース要求３０５−ａの一部として、または別個のＤ２Ｄ発見リソース情報メッセージ１００５として、ユーザデバイス１１５−ｄは、ターゲット基地局１０５−ｃ−１に、ソース基地局１０５−ｃ−２によってユーザデバイス１１５−ｄに以前に割り振られたＤ２Ｄ発見リソースに関係する情報を与える。ターゲット基地局１０５−ｃ−１に与えられる情報は、Ｄ２Ｄ発見リソースの実際の割振りならびにソース基地局１０５−ｃ−２の識別情報を含み得る。ターゲット基地局１０５−ｃ−１は、次いで、Ｄ２Ｄ発見リソース情報メッセージ１０１０中でソース基地局１０５−ｃ−２に受信された情報をリレーし、このようにして、（ユーザデバイス１１５−ｄがターゲット基地局１０５−ｃ−１からＤ２Ｄ発見リソースの割振りを受信することになるような）再割振りのためにユーザデバイス１１５−ｄに以前に割り振られたＤ２Ｄ発見リソースが利用可能であることをソース基地局１０５−ｃ−２に示す。Ｄ２Ｄ発見リソース情報メッセージ１０１０を受信すると、ソース基地局１０５−ｃ−２は、ターゲット基地局１０５−ｃ−１に肯定応答１０１５を送り得る。さらに、ターゲット基地局１０５−ｃ−１がＤ２Ｄ発見リソース要求３０５−ａを受信すると、ターゲット基地局１０５−ｃ−１は、Ｄ２Ｄ発見リソース応答３１０−ａを介してユーザデバイス１１５−ｄにＤ２Ｄ発見リソースを割り振り得る（これは、図３を参照しながら説明したＤ２Ｄ発見リソース応答３１０の一例であり、図４、図５、図６、図７、または図８に関して説明したように使用し得る）。
【０１０９】
[0120]図８に再び戻ると、発見リソース解放モジュール８１０は、ソース基地局１０５−ｃ−２によって解放され得る以前に割り振られたＤ２Ｄ発見リソースをリレーするために、装置７０５−ａ（たとえば、図１０のターゲット基地局１０５−ｃ−１）と（図１０の）ソース基地局１０５−ｃ−２との間の通信を容易にすることができる。したがって、タイプ２ＢのＤ２Ｄ発見リソースが以前に割り振られているが、アイドル状態（たとえば、ＲＲＣ−ＩＤＬＥ状態）に遷移しているユーザデバイス１１５が、異なる基地局１０５との接続状態（たとえば、ＲＲＣ＿ＣＯＮＮＥＣＴＥＤ状態）に気づくとき、発見リソース解放モジュール８１０は特に有益である。したがって、ユーザデバイス１１５は、新しい（ターゲット）基地局１０５にＤ２Ｄ発見リソースの再割振りを要求する必要があり得、一方、古い（ソース）基地局１０５は、通知された場合、以前に割り振られたＤ２Ｄ発見リソースを解放することができる。
【０１１０】
[0121]基地局Ｄ２Ｄ発見モジュール７１５−ａはまた、グループ発見リソースモジュール８１５を含み得る。グループ発見リソースモジュール８１５は、各々がユーザデバイス１１５に同じＤ２Ｄ発見リソースを割り振り得る基地局１０５のグループ内に含まれる基地局１０５に関係する情報を記憶し得る。したがって、ユーザデバイス１１５が異なるカバレージエリア１１０（図１および／または図２参照）に移動する場合、ユーザデバイス１１５は、装置７０５−ａ（たとえば、基地局１０５）に更新されたＤ２Ｄ発見リソースを要求する必要はない。
【０１１１】
[0122]グループ発見リソースモジュール８１５は、どの基地局１０５が、ユーザデバイス１１５に同じＤ２Ｄ発見リソースを割り当てるグループとして協調されるのかを示す基地局グループ情報を記憶し得る。一実施形態では、グループ発見リソースモジュール８１５は、ＳＩＢメッセージ中でユーザデバイス１１５に送信されるグループインジケータを記憶する。グループインジケータは、グループ中のすべての基地局１０５を表す数であり得る。したがって、グループ中の任意の基地局１０５がＳＩＢメッセージの形でそれのグループ番号を送信し得る。代替的に、グループ発見リソースモジュール８１５は、ユーザデバイス１１５に同じＤ２Ｄ発見リソースを割り振った装置７０５−ａに近接している各基地局１０５の識別子を記憶し得、ユーザデバイス１１５に、グループ中の近隣基地局１０５の識別子を送信し得る。別の実施形態では、グループ発見リソースモジュール８１５は、同じＤ２Ｄ発見リソースユーザデバイス１１５を割り振る基地局１０５のグループがページングのために使用するトラッキングエリアと同じであるというインジケータを記憶する。
【０１１２】
[0123]図９に、本開示の様々な態様による、Ｄ２Ｄ発見リソース要求および応答を受信および送信する際に使用するために構成され得る通信システム９００のブロック図を示す。システム９００は、それぞれ図１または図２に示すシステム１００、２００の態様および／またはそれぞれ図７または図８の装置７０５、７０５−ａの態様の一例であり得る。システム９００は、基地局１０５−ｄを含み得る。基地局１０５−ｄは、その各々が（たとえば、１つまたは複数のバスを介して）互いに直接または間接的に通信していることがある、基地局アンテナ９４５と、基地局トランシーバモジュール９５０と、基地局メモリ９８０と、基地局プロセッサモジュール９７０とを含み得る。基地局トランシーバモジュール９５０は、図１または図２のユーザデバイス１１５の一例であり得るユーザデバイス１１５−ｅと基地局アンテナ９４５を介して双方向に通信するように構成され得る。基地局トランシーバモジュール９５０（および／または基地局１０５−ｄの他の構成要素）はまた、１つまたは複数のネットワークと双方向に通信するように構成され得る。場合によっては、基地局１０５−ｄは、ネットワーク通信モジュール９７５を通してコアネットワーク１３０−ａおよび／またはコントローラ９２０と通信し得る。基地局１０５−ｄは、図１または図２の基地局１０５または図７または図８の装置７０５の一例であり得、また、ｅノードＢ基地局、ホームｅノードＢ基地局、ノードＢ基地局、および／またはホームノードＢ基地局であり得る。コントローラ９２０は、ｅノードＢ基地局１０５の場合など、場合によっては、基地局１０５−ｄに組み込まれ得る。
【０１１３】
[0124]基地局１０５−ｄはまた、基地局１０５−ｍおよび基地局１０５−ｎなど、他の基地局１０５と通信し得る。基地局１０５の各々は、様々な無線アクセス技術など、様々なワイヤレス通信技術を使用して、ユーザデバイス１１５−ｅと通信し得る。場合によっては、基地局１０５−ｄは、基地局通信モジュール９６５を利用して１０５−ｍおよび／または１０５−ｎなどの他の基地局と通信し得る。いくつかの実施形態では、基地局通信モジュール９６５は、基地局１０５のうちのいくつかとの間の通信を行うために、ＬＴＥワイヤレス通信技術内のＸ２インターフェースを与え得る。いくつかの実施形態では、基地局１０５−ｄは、コントローラ９２０および／またはコアネットワーク１３０−ａを通して他の基地局１０５と通信し得る。
【０１１４】
[0125]基地局メモリ９８０は、ＲＡＭとＲＯＭとを含み得る。基地局メモリ９８０はまた、実行されたとき、基地局プロセッサモジュール９７０に、本明細書で説明する様々な機能を（たとえば、Ｄ２Ｄ発見リソース要求および応答を受信および送信すること）を実行させるように構成された命令を含んでいるコンピュータ可読、コンピュータ実行可能ソフトウェアコード９８５を記憶し得る。代替的に、ソフトウェアコード９８５は、基地局プロセッサモジュール９７０によって直接実行可能でないことがあるが、たとえば、コンパイルされ実行されたとき、コンピュータに、本明細書で説明する機能を実行させるように構成され得る。
【０１１５】
[0126]基地局プロセッサモジュール９７０は、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）など、インテリジェントハードウェアデバイスを含み得る。基地局プロセッサモジュール９７０は、マイクロフォンを介してオーディオを受信し、そのオーディオを、受信したオーディオを表す（たとえば、長さ３０ｍｓなどの）パケットに変換し、そのオーディオパケットを基地局トランシーバモジュール６５０に与え、ユーザが話しているかどうかのインジケーションを与えるように構成された、音声エンコーダを含み得る。代替的に、エンコーダはパケットを基地局トランシーバモジュール６５０に与えるだけであり、パケット自体の供給または抑制／抑圧が、ユーザが話しているかどうかのインジケーションを与え得る。
【０１１６】
[0127]基地局トランシーバモジュール９５０は、パケットを変調し、変調されたパケットを送信のために基地局アンテナ９４５に与え、基地局アンテナ９４５から受信されたパケットを復調するように構成されたモデムを含み得る。基地局１０５−ｄのいくつかの例は単一の基地局アンテナ９４５を含み得るが、基地局１０５−ｄは、好ましくは、キャリアアグリゲーションをサポートし得る複数のリンクのための複数の基地局アンテナ９４５を含む。たとえば、ユーザデバイス１１５−ｅとのマクロ通信をサポートするために１つまたは複数のリンクが使用され得る。
【０１１７】
[0128]図９のアーキテクチャによれば、基地局１０５−ｄは、通信管理モジュール９６０をさらに含み得る。通信管理モジュール９６０は、他の基地局１０５との通信を管理し得る。一例として、通信管理モジュール９６０は、図１０に関して説明するように、Ｄ２Ｄ発見リソース情報メッセージ１０１０の送信を容易にし得る。例として、通信管理モジュール９６０は、バスを介して基地局１０５−ｄの他の構成要素の一部または全部と通信している基地局１０５−ｄの構成要素であり得る。代替的に、通信管理モジュール９６０の機能は、基地局トランシーバモジュール９５０の構成要素として、コンピュータプログラム製品として、および／あるいは基地局プロセッサモジュール９７０の１つまたは複数のコントローラ要素として実装され得る。
【０１１８】
[0129]基地局１０５−ｄのための構成要素は、図７および／または図８の装置７０５および７０５−ａに関して上記で説明した態様を実装するように構成され得、簡潔のためにここで繰り返さないことがある。たとえば、基地局１０５−ｄは、基地局Ｄ２Ｄ発見モジュール７１５−ｂを含み得る。基地局Ｄ２Ｄ発見モジュール７１５−ｂは、それぞれ、図７または図８の基地局Ｄ２Ｄ発見モジュール７１５または基地局Ｄ２Ｄ発見モジュール７１５−ａの一例であり得る。基地局Ｄ２Ｄ発見モジュール７１５−ｂは、Ｄ２Ｄ発見に関係する、図１、図２、図３、図７、図８、または図１０を参照しながら説明した特徴または機能の一部または全部を実行または制御するように構成され得る。たとえば、基地局Ｄ２Ｄ発見モジュール７１５−ｂは、Ｄ２Ｄ発見リソース要求および応答の受信および送信をサポートするように構成され得る。基地局Ｄ２Ｄ発見モジュール７１５−ｂは、（図８の発見リソース割当てモジュール８０５の一例であり得る）発見リソース割当てモジュール８０５−ａ、（図８の発見リソース解放モジュール８１０の一例であり得る）発見リソース解放モジュール８１０−ａ、または（図８のグループ発見リソースモジュール８１５の一例であり得る）グループ発見リソースモジュール８１５−ａを含み得る。基地局Ｄ２Ｄ発見モジュール７１５−ｂ、またはそれの一部分は、プロセッサを含み得、あるいは、基地局Ｄ２Ｄ発見モジュール７１５−ｂの機能の一部または全部は、基地局プロセッサモジュール９７０によって、または基地局プロセッサモジュール９７０とともに実行され得る。さらに、基地局Ｄ２Ｄ発見モジュール７１５−ｂ、またはそれの一部分は、メモリを含み得、あるいは、基地局Ｄ２Ｄ発見モジュール７１５−ｂの機能の一部または全部は、基地局メモリ９８０を使用するか、または基地局メモリ９８０とともに使用され得る。
【０１１９】
[0130]図１２は、本開示の様々な態様による、ワイヤレス通信のための方法１２００の一例を示すフローチャートである。明快のために、方法１２００について、図１、図２、図３、図６、または図１０を参照しながら説明したユーザデバイス１１５のうちの１つまたは複数の態様、あるいは図４または図５を参照しながら説明した装置４０５のうちの１つまたは複数の態様を参照しながら以下で説明する。いくつかの例では、ユーザデバイス１１５のうちの１つなどのユーザデバイス、または装置４０５のうちの１つなどの装置は、以下で説明する機能を実行するようにユーザデバイスまたは装置の機能要素を制御するために、コードの１つまたは複数のセットを実行し得る。
【０１２０】
[0131]ブロック１２０５において、方法１２００は、ユーザデバイス１１５から、Ｄ２Ｄ発見リソースの割振りについての要求を送信することを含み得る。要求は、図３または図１０に関して上記で説明し、図４、図５、図６、図７、図８、または図９に関して説明したように使用されるＤ２Ｄ発見リソース要求３０５の形であり得る。
【０１２１】
[0132]ブロック１２１０において、方法１２００は、要求に応答して、ユーザデバイス１１５に割り振られたＤ２Ｄ発見リソースが共通のものであるのか、または専用のものであるのかを示す応答を受信することを含み得る。受信された応答は、図３または図１０に関して上記で説明し、図４、図５、図６、図７、図８、または図９に関して説明したように使用されるＤ２Ｄ発見リソース応答３１０の形であり得る。
【０１２２】
[0133]いくつかの実施形態では、ブロック１２０５または１２１０における動作は、図４、図５または図６を参照しながら説明したユーザデバイスＤ２Ｄ発見モジュール４１５を使用して実行され得る。とはいえ、方法１２００は一実装形態にすぎず、方法１２００の動作は、他の実装形態が可能であるように再構成され、または別の方法で修正され得ることに留意されたい。
【０１２３】
[0134]図１３は、本開示の様々な態様による、ワイヤレス通信のための方法１３００の一例を示すフローチャートである。明快のために、方法１３００について、図１、図２、図３、図６、または図１０を参照しながら説明したユーザデバイス１１５のうちの１つまたは複数の態様、あるいは図４または図５を参照しながら説明した装置４０５のうちの１つまたは複数の態様を参照しながら以下で説明する。いくつかの例では、ユーザデバイス１１５のうちの１つなどのユーザデバイス、または装置４０５のうちの１つなどの装置は、以下で説明する機能を実行するようにユーザデバイスまたは装置の機能要素を制御するために、コードの１つまたは複数のセットを実行し得る。
【０１２４】
[0135]ブロック１３０５において、方法１３００は、Ｄ２Ｄ発見リソース要求をフォーマットすることを含み得る。（図５の）発見リソース要求モジュール５０５に関して上記で説明したように、（図３、図４、図５、または図１０に関して説明した）Ｄ２Ｄ発見リソース要求３０５は、多くの異なるフォーマットを有し得る。一例として、Ｄ２Ｄ発見リソース要求３０５は、Ｄ２Ｄ発見要求のためにフォーマットされたＲＲＣメッセージの形であり得る。別の例として、Ｄ２Ｄ発見リソース要求３０５は、要求がＤ２Ｄ発見に関係するというインジケータを要求が含む限り、非Ｄ２Ｄ発見要求のために使用されるメッセージフォーマットを使用してフォーマットされ得る。修正された非Ｄ２Ｄ発見要求の例としては、修正されたＢＳＲメッセージまたはＲＡＣＨプロセスに関連するメッセージがある。
【０１２５】
[0136]ブロック１３１０において、方法１３００は、Ｄ２Ｄ発見リソース要求３０５中に前のＤ２Ｄ発見リソース情報とソース基地局情報とを含めることを備え得る。（図５の）発見リソース要求モジュール５０５および発見リソース情報モジュール５１０に関して上記で説明したように、ソース基地局１０５によって以前に割り振られたＤ２Ｄ発見リソースに関係する情報は、Ｄ２Ｄ発見リソース要求３０５中に含まれ得、したがって、ターゲット基地局１０５は、次いで、以前に割り振られたＤ２Ｄ発見リソースが解放され得ることをソース基地局１０５に通知することができる。代替的に、ユーザデバイス１１５が有効な割り振られたＤ２Ｄ発見リソースを有しない（たとえば、リソースについての要求が拒否された）か、または共通の割り振られたＤ２Ｄ発見リソースのみを使用していることがある場合、Ｄ２Ｄ発見リソース応答３１０はエンプティのままにされ得る。さらに、Ｄ２Ｄ発見リソース要求３０５は、ユーザデバイス１１５がＤ２Ｄ発見に参加することを認可されていることを示し得る。
【０１２６】
[0137]ブロック１３１５において、方法１３００は、Ｄ２Ｄ発見リソース要求３０５を送信することを含み得る。（図５の）発見リソース要求モジュール５０５に関して上記で説明したように、Ｄ２Ｄ発見リソース要求３０５は、基地局１０５に送信される。
【０１２７】
[0138]ブロック１３２０において、方法１３００は、Ｄ２Ｄ発見リソース要求３０５に対する応答を受信することを含み得る。応答は、（図３、図４、図５、または図１０に関して説明した）Ｄ２Ｄ発見リソース応答３１０の形であり得る。受信された応答は、様々な異なるフォーマットを有し得る。たとえば、Ｄ２Ｄ発見リソース応答３１０は、ＲＲＣメッセージ、ＭＡＣレイヤメッセージ、またはＰＨＹレイヤメッセージであり得る。さらに、Ｄ２Ｄ発見リソース応答３１０は、アップリンクのためのＤ２Ｄ送信リソース割振りを許可するＤＣＩメッセージまたはＤ２Ｄ発見情報を含むように修正されたRRCConnectionReconfigurationメッセージであり得る。
【０１２８】
[0139]ブロック１３２５において、方法１３００は、Ｄ２Ｄ発見リソース継続時間に関係する情報を受信することを含み得る。この情報は、Ｄ２Ｄ発見リソース応答３１０の一部として受信され得る。（図５の）発見リソース情報モジュール５１０に関して上記で説明したように、割り振られたＤ２Ｄ発見リソースのタイプがタイプ２Ｂのものであるとき、すなわち、割り振られたＤ２Ｄ発見リソースが特定の継続時間の間だけ割り振られるときには、Ｄ２Ｄ発見リソース継続時間に関係する情報が有用である。したがって、たとえば、受信された情報は、割り振られたＤ２Ｄ発見リソースが使用され得る回数のインジケーションを含み得る。代替的に、受信された情報は、Ｄ２Ｄ発見リソースが割り振られた時間量のインジケーションを含み得る。
【０１２９】
[0140]ブロック１３３０において、方法１３００は、Ｄ２Ｄ発見のために割り振られたＲＢの識別情報を受信することを含み得る。この情報は、Ｄ２Ｄ発見リソース応答３１０の一部として受信され得る。（図５の）発見リソース情報モジュール５１０に関して上記で説明したように、受信されたＤ２Ｄ発見リソース応答３１０は、ユーザデバイス１１５に割り振られたＤ２Ｄ発見リソースの識別子を含み得、ここにおいて、識別子は、ユーザデバイス１１５に割り振られたサブフレーム上の複数のＲＢを識別する。
【０１３０】
[0141]ブロック１３３５において、方法１３００は、基地局グループ情報を受信することを含み得る。この情報は、Ｄ２Ｄ発見リソース応答３１０の一部として受信され得る。（図５の）発見リソース情報モジュール５１０および発見グループモジュール５１５に関して上記で説明したように、ユーザデバイス１１５は、どの基地局１０５または基地局１０５のグループが一緒に（jointly）ユーザデバイス１１５にＤ２Ｄ発見リソースを割り振ったかを示す情報を受信し得る。したがって、ユーザデバイス１１５が異なる基地局１０５のカバレージエリア１１０に移動するとき、ユーザデバイス１１５は、新しいＤ２Ｄ発見リソース割振りを受信するためにユーザデバイス１１５が基地局１０５と通信しなければならないかどうかにすでに気づいている。
【０１３１】
[0142]ブロック１３４０において、方法１３００は、正しい発見窓（correct discovery window）中にＤ２Ｄ発見を送信することを含み得る。ユーザデバイス１１５がＤ２Ｄ発見リソースの割振りを受信すると、ユーザデバイス１１５は、Ｄ２Ｄ発見に参加し得る。（図５の）発見タイミングモジュール５２０に関して上記で説明したように、割り振られたＤ２Ｄ発見リソースは、割振りが受信またはアクティブ化されるときに基づいて正しい時間に使用されるべきである。たとえば、Ｄ２Ｄ発見は、Ｄ２Ｄ発見リソース応答３１０の受信の後に生じる発見期間まで開始しないことがある。代替的に、Ｄ２Ｄ発見は、Ｄ２Ｄ発見応答３１０がしきい値時間の発生より前に受信される限り、Ｄ２Ｄ発見リソース応答３１０が発見期間に関していつ受信されるかにかかわらず、開始し得る。
【０１３２】
[0143]方法１３００のいくつかの例では、ユーザデバイス１１５は、応答から、ユーザデバイスによって実行されるべき発見信号送信の数を決定し得る。Ｄ２Ｄ発見リソース応答３１０（図３）などの応答は、発見リソースがユーザデバイスに専属的に与えられるときにユーザデバイスによって実行されるべき発見信号送信の数を示すパラメータを含み得る。さらなる一例では、ユーザデバイス１１５は、応答から、ユーザデバイスに割り振られたＤ２Ｄ発見リソースが割振り解除（deallocated）されることをユーザデバイスがその後に決定し得るエンプティ発見信号送信の数を決定し得る。Ｄ２Ｄ発見リソース応答３１０などの応答は、前に割り振られたＤ２Ｄ発見リソースがユーザデバイスにもはや割り振られていないことをユーザデバイスがその後に決定し得るエンプティ発見信号送信の数を示すパラメータを含み得る。
【０１３３】
[0144]方法１３００に、ユーザデバイスがＤ２Ｄ発見リソースの追加の割振りを必要とすると、ステップ１３０５、１３１０、１３１５、１３２０、１３２５、１３３０、１３３５、および／または１３４０が繰り返され得ることをも示す。さらに、ユーザデバイス１１５から送信されたＤ２Ｄ発見リソース要求は、送信されるべき複数の式と対応する複数の要求とを含み得る。いくつかの例では、送信されるべき式は、リソースがもはや必要とされないことを示すヌルまたはゼロ式（null or zero expression）であり得る。Ｄ２Ｄ発見リソース要求３０５が１つよりも多くの要求を含む場合、ユーザデバイス１１５において受信されるＤ２Ｄ発見リソース応答３１０は、ユーザデバイス１１５に割り振られたＤ２Ｄ発見リソースが共通のものであるのか、または専用のものであるのかの対応する複数のインジケーションを含み得る。そのようなインジケーションは、式インデックスを介して行われ得る。
【０１３４】
[0145]方法１３００は一実装形態にすぎず、方法１３００の動作は、他の実装形態が可能であるように再構成され、または別の方法で修正され得ることに留意されたい。特定の例として、方法１３００に示したあらゆる動作を実行する必要はなく、図１３に示した順序とは異なる順序で多くの動作を実行し得る。
【０１３５】
[0146]図１４は、本開示の様々な態様による、ワイヤレス通信のための方法１４００の一例を示すフローチャートである。明快のために、方法１４００について、図１、図２、図３、図９、または図１０を参照しながら説明した基地局１０５のうちの１つまたは複数の態様、あるいは図７または図８を参照しながら説明した装置７０５のうちの１つまたは複数の態様を参照しながら以下で説明する。いくつかの例では、基地局１０５のうちの１つなどの基地局、または装置７０５のうちの１つなどの装置は、以下で説明する機能を実行するよう基地局または装置の機能要素を制御するために、コードの１つまたは複数のセットを実行し得る。
【０１３６】
[0147]ブロック１４０５において、方法１４００は、ユーザデバイス１１５から、Ｄ２Ｄ発見リソースの割振りについての要求を受信することを含み得る。要求は、図３または図１０に関して上記で説明し、図４、図５、図６、図７、図８、または図９に関して説明したように使用されるＤ２Ｄ発見リソース要求３０５の形であり得る。
【０１３７】
[0148]ブロック１４１０において、方法１４００は、要求に対する応答を送信すること、応答は、ユーザデバイス１１５に割り振られたＤ２Ｄ発見リソースが共通のものであるのか、または専用のものであるのかを示す、を含み得る。送信された応答は、図３または図１０に関して上記で説明し、図４、図５、図６、図７、図８、または図９に関して説明したように使用されるＤ２Ｄ発見リソース応答３１０の形であり得る。
【０１３８】
[0149]いくつかの実施形態では、ブロック１４０５または１４１０における動作は、図７、図８または図９を参照しながら説明した基地局Ｄ２Ｄ発見モジュール７１５を使用して実行され得る。とはいえ、方法１４００は一実装形態にすぎず、方法１４００の動作は、他の実装形態が可能であるように再構成され、または別の方法で修正され得ることに留意されたい。
【０１３９】
[0150]図１５は、本開示の様々な態様による、ワイヤレス通信のための方法１５００の一例を示すフローチャートである。明快のために、方法１５００について、図１、図２、図３、図９、または図１０を参照しながら説明した基地局１０５のうちの１つまたは複数の態様、あるいは図７または図８を参照しながら説明した装置７０５のうちの１つまたは複数の態様を参照しながら以下で説明する。いくつかの例では、基地局１０５のうちの１つなどの基地局、または装置７０５のうちの１つなどの装置は、以下で説明する機能を実行するよう基地局または装置の機能要素を制御するために、コードの１つまたは複数のセットを実行し得る。
【０１４０】
[0151]ブロック１５０５において、方法１５００は、Ｄ２Ｄ発見リソース要求３０５を受信することを含み得る。（図８の）発見リソース割当てモジュール８０５に関して上記で説明したように、（図３、図４、図５、または図１０に関して説明した）Ｄ２Ｄ発見リソース要求３０５は、多くの異なるフォーマットを有し得る。基地局１０５は、異なる受信されたフォーマットの各々でＤ２Ｄ発見リソース要求３０５を受信し、処理することが可能である。
【０１４１】
[0152]ブロック１５１０において、方法１５００は、前のＤ２Ｄ発見リソース情報とソース基地局情報とを受信することを含み得る。この情報は、Ｄ２Ｄ発見リソース要求３０５の一部として受信され得る。（図８の）発見リソース割当てモジュール８０５および発見リソース解放モジュール８１０に関して上記で説明したように、ソース基地局１０５によって以前に割り振られたＤ２Ｄ発見リソースに関係する情報は、Ｄ２Ｄ発見リソース要求３０５中に含まれ得、したがって、基地局１０５がこの情報を受信すると、基地局１０５は、次いで、以前に割り振られたＤ２Ｄ発見リソースが解放され得ることをソース基地局１０５に通知することができる。
【０１４２】
[0153]ブロック１５１５において、方法１５００は、ソース基地局グループに前のＤ２Ｄ発見リソース情報を転送することを含み得る。（図８の）発見リソース割当てモジュール８０５および発見リソース解放モジュール８１０に関して上記で説明したように、ソース基地局１０５によって以前に割り振られたＤ２Ｄ発見リソースに関係する情報が、Ｄ２Ｄ発見リソース要求３０５中に含まれるとき、ターゲット基地局１０５は、以前に割り振られたＤ２Ｄ発見リソースが解放され得ることをソース基地局１０５に通知することができる。代替的に、ターゲット基地局１０５は、以前に割り振られたＤ２Ｄ発見リソースが解放され得ることを、ソース基地局１０５によって共有されるグループ中の基地局１０５のいずれかまたはすべてに通知することができる。前のＤ２Ｄ発見リソース情報の転送は直接のものであり得るか、またはそれはＭＭＥを介したものであり得る。ＭＭＥが使用される場合、ターゲット基地局１０５は、ＭＭＥに前のＤ２Ｄ発見リソース情報を転送し、次いで、ＭＭＥは、以前に割り振られたＤ２Ｄ発見リソースが解放され得ることを、ソース基地局１０５またはソース基地局１０５のグループ中のすべての基地局１０５に通知する。
【０１４３】
[0154]ブロック１５２０において、方法１５００は、Ｄ２Ｄ発見リソース応答３１０中にＤ２Ｄ発見リソース継続時間情報を含めることを備え得る。（図８の）発見リソース割当てモジュール８０５に関して上記で説明したように、割り振られたＤ２Ｄ発見リソースのタイプがタイプ２Ｂのものである、すなわち、割り振られたＤ２Ｄ発見リソースが特定の継続時間の間だけ割り振られるとき、Ｄ２Ｄ発見リソース継続時間に関係する情報がユーザデバイス１１５に送信され得る。したがって、たとえば、送信されるべき情報は、割り振られたＤ２Ｄ発見リソースが使用され得る回数のインジケーションを含み得る。代替的に、Ｄ２Ｄ発見リソース応答３１０は、Ｄ２Ｄ発見リソースが割り振られた時間量のインジケーションを含み得る。
【０１４４】
[0155]ブロック１５２５において、方法１５００は、Ｄ２Ｄ発見リソース応答３１０中に、Ｄ２Ｄ発見のために割り振られたＲＢの識別情報を含めることを備え得る。（図８の）発見リソース割当てモジュール８０５に関して上記で説明したように、送信されたＤ２Ｄ発見リソース応答３１０は、Ｄ２Ｄ発見のために割り振られたＤ２Ｄ発見リソースの識別情報を含み得る。識別情報は、ユーザデバイス１１５による使用のために割り振られたサブフレーム上のＲＢの識別子を含み得る。
【０１４５】
[0156]ブロック１５３０において、方法１５００は、Ｄ２Ｄ発見リソース応答３１０中に基地局グループ情報を含めることを備え得る。（図８の）グループ発見リソースモジュール８１５に関して上記で説明したように、基地局１０５は、ユーザデバイス１１５に、どの基地局１０５または基地局１０５のグループがユーザデバイス１１５にＤ２Ｄ発見リソースを一緒に割り振ったかを示す情報を送信し得る。したがって、ユーザデバイス１１５が異なる基地局１０５のカバレージエリア１１０に移動するとき、ユーザデバイス１１５は、新しいＤ２Ｄ発見リソース割振りを受信するためにユーザデバイス１１５が新しい基地局１０５と通信しなければならないかどうかにすでに気づいている。したがって、たとえば、基地局１０５は、Ｄ２Ｄ発見リソース応答３１０中に、ユーザデバイス１１５にＤ２Ｄ発見リソースを割り振った複数の近隣基地局１０５のインジケーションを含め得る。複数の近隣基地局１０５は、ページングのために使用されるトラッキングエリアに対応する基地局のグループであり得る。代替的に、複数の近隣基地局１０５のインジケーションは、ＳＩＢメッセージの一部としてユーザデバイス１１５に送信され得る。
【０１４６】
[0157]ブロック１５３５において、方法１５００は、Ｄ２Ｄ発見リソース応答をフォーマットすることを含み得る。応答は、（図３、図４、図５、図７、図８、または図１０に関して説明した）Ｄ２Ｄ発見リソース応答３１０の形であり得る。（図８の）発見リソース割当てモジュール８０５に関して上記で説明したように、応答は、ＲＲＣメッセージ、ＭＡＣレイヤメッセージまたはＰＨＹレイヤメッセージのうちのいずれか１つとしてフォーマットされ得る。さらに、応答は、アップリンクのためのＤ２Ｄ送信リソース割振りを許可するＤＣＩメッセージまたはＤ２Ｄ発見情報を含むように修正されたRRCConnectionReconfigurationメッセージのうちのいずれか１つとしてフォーマットされ得る。さらに、割り振られるべきＤ２Ｄ発見リソースが、タイプ１のものである（すなわち、共通の発見リソースである）場合、応答はエンプティであり得る。
【０１４７】
[0158]ブロック１５４０において、方法１５００は、ユーザデバイスに、Ｄ２Ｄ発見リソース応答３１０を送信することを含み得る。（図８の）発見リソース割当てモジュール８０５に関して上記で説明したように、基地局１０５とユーザデバイス１１５との間のＤ２Ｄ発見リソース応答３１０の送信は、タイプ１であるかタイプ２であるかの割り振られたＤ２Ｄ発見リソースのタイプのインジケーションを含み得る。さらに、受信されたＤ２Ｄ発見リソース要求３０５がユーザデバイス１１５のためのＤ２Ｄ発見リソースについての複数の要求を含むとき、送信されるＤ２Ｄ発見リソース応答３１０は、ユーザデバイス１１５に割り振られたＤ２Ｄ発見リソースが共通のものであるのか、または専用のものであるのかの対応する複数のインジケーションを含み得る。
【０１４８】
[0159]方法１５００は一実装形態にすぎず、方法１５００の動作は、他の実装形態が可能であるように再構成され、または別の方法で修正され得ることに留意されたい。特定の例として、方法１５００に示したあらゆる動作を実行する必要はなく、図１５に示した順序とは異なる順序で多くの動作を実行し得る。
【０１４９】
[0160]添付の図面に関して上記に記載した詳細な説明は、例示的な実施形態について説明しており、実装され得るまたは特許請求の範囲内に入る実施形態のみを表すものではない。本明細書全体にわたって使用する「例示的」という用語は、「例、事例、または例示の働きをすること」を意味し、「好ましい」または「他の実施形態よりも有利である」ことを意味しない。発明を実施するための形態は、説明される技法の理解をもたらすための具体的な詳細を含む。しかしながら、これらの技法は、これらの特定の詳細を伴わずに実践され得る。いくつかの事例では、説明した実施形態の概念を不明瞭にすることを回避するために、よく知られている構造およびデバイスがブロック図の形式で示されている。
【０１５０】
[0161]本明細書で説明する技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格を包含する。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
【０１５１】
[0162]様々な開示した実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤは、論理チャネルを介して通信するために、パケットセグメンテーションとリアセンブリとを実行し得る。ＭＡＣレイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【０１５２】
[0163]情報および信号は、種々の異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１５３】
[0164]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェアコンポーネント、または本明細書で説明された機能を実行するように設計されたそれらの任意の組合せによって実装または実行され得る。汎用プロセッサはマイクロプロセッサであり得るが、代替では、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。場合によっては、プロセッサは、メモリと電子的に通信していることがあり、メモリは、プロセッサによって実行可能な命令を記憶する。
【０１５４】
[0165]本明細書において説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され、またはコンピュータ可読媒体を介して送信され得る。他の例および実装形態は、本開示の範囲内および添付の特許請求の範囲内にある。たとえば、ソフトウェアの性質により、上記で説明した機能は、プロセッサ、ハードウェア、ファームウェア、ハードワイヤリング、またはこれらのいずれかの組合せによって実行されるソフトウェアを用いて実装され得る。機能を実装する特徴はまた、機能の部分が様々な物理的位置で実装されるように分散されることを含めて、様々な位置に物理的に配置され得る。また、特許請求の範囲を含めて、本明細書で使用する場合、項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１５５】
[0166]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のコンピュータ可読プログラムコードを搬送もしくは記憶するために使用され得、汎用もしくは専用コンピュータまたは汎用もしくは専用プロセッサによってアクセスされ得る、任意の他の媒体を備えることができる。また、任意の接続が、コンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモート光源から送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５６】
[0167]本開示の上述の説明は、当業者が本開示を作成または使用することができるように与えられる。本開示への様々な修正は当業者には容易に明らかとなり、本明細書で定義した一般原理は、本開示の範囲から逸脱することなく他の変形形態に適用され得る。本開示全体にわたって、「例」という用語は、一例または一事例を示すものであり、言及された例についての選好を暗示せず、または要求しない。したがって、本開示は、本明細書において説明される例および設計に限定されるべきでなく、本明細書において開示される原理および新規の特徴に合致する最も広い範囲を与えられるべきである。
以下に、出願当初の特許請求の範囲に記載された発明を付記する。
［Ｃ１］
ワイヤレス通信のための方法であって、
ユーザデバイスから、デバイス間（Ｄ２Ｄ）発見リソースの割振りについての要求を送信することと、
前記要求に応答して、前記ユーザデバイスに割り振られた前記Ｄ２Ｄ発見リソースが共通のものであるのか、または専用のものであるのかを示す応答を受信することと
を備える、方法。
［Ｃ２］
前記ユーザデバイスに割り振られた前記Ｄ２Ｄ発見リソースが専用のものであるときに、前記割り振られたＤ２Ｄ発見リソースが使用され得る回数のインジケーションを受信すること
をさらに備える、上記Ｃ１に記載の方法。
［Ｃ３］
前記ユーザデバイスに割り振られた前記Ｄ２Ｄ発見リソースが専用のものであるときに、前記Ｄ２Ｄ発見リソースが割り振られた時間量のインジケーションを受信すること
をさらに備える、上記Ｃ１に記載の方法。
［Ｃ４］
前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信すること、ここにおいて、前記識別子が、前記ユーザデバイスに割り振られたサブフレーム上の複数のリソースブロック（ＲＢ）を識別する、
をさらに備える、上記Ｃ１に記載の方法。
［Ｃ５］
前記応答が、無線リソース制御（ＲＲＣ）メッセージ、媒体アクセス制御（ＭＡＣ）レイヤメッセージまたは物理（ＰＨＹ）レイヤメッセージであり、
ここにおいて、前記応答がＲＲＣメッセージであるとき、前記応答が、アップリンクのためのＤ２Ｄ送信リソース割振りを許可するダウンリンク制御情報（ＤＣＩ）メッセージまたはＤ２Ｄ発見情報を含むように修正されたRRCConnectionReconfigurationメッセージである、
上記Ｃ１に記載の方法。
［Ｃ６］
Ｄ２Ｄ発見要求のためにフォーマットされた無線リソース制御（ＲＲＣ）メッセージとして前記要求をフォーマットすること
をさらに備える、上記Ｃ１に記載の方法。
［Ｃ７］
非Ｄ２Ｄ発見要求のために使用されるメッセージフォーマットを使用して前記要求をフォーマットすることと、
前記要求がＤ２Ｄ発見に関係するというインジケータを前記要求中に含めることと
をさらに備える、上記Ｃ１に記載の方法。
［Ｃ８］
前記ユーザデバイスが有効な割り振られたＤ２Ｄ発見リソースを有さず、前記要求が拒絶されるとき、または前記ユーザデバイスが共通の割り振られたＤ２Ｄ発見リソースのみを有するとき、Ｄ２Ｄ発見リソースの割振りのための前記応答がエンプティである、上記Ｃ１に記載の方法。
［Ｃ９］
前記ユーザデバイスが前記応答を受信した後に始まる発見期間中に前記ユーザデバイスに割り振られた、前記割り振られたＤ２Ｄ発見リソースを使用して、Ｄ２Ｄ発見メッセージを送信すること
をさらに備える、上記Ｃ１に記載の方法。
［Ｃ１０］
Ｄ２Ｄ発見リソースの割振りについての前記要求が、Ｄ２Ｄリソースの第１の割振りについての第１の要求であり、前記方法が、
前記ユーザデバイスが複数の近隣基地局のうちの１つではない基地局と通信しているときに、前記ユーザデバイスから、Ｄ２Ｄ発見リソースの第２の割振りについての第２の要求を送信すること
をさらに備える、上記Ｃ１に記載の方法。
［Ｃ１１］
前記要求が、送信されるべき複数の式と前記ユーザデバイスのためのＤ２Ｄ発見リソースについての対応する要求とを含み、前記応答が、前記ユーザデバイスに割り振られたＤ２Ｄ発見リソースが共通のものであるのか、または専用のものであるのかの対応する複数のインジケーションを含む、上記Ｃ１に記載の方法。
［Ｃ１２］
前記応答が、複数の割り振られたＤ２Ｄ発見リソースを複数の前記要求と相関させる式インデックスを含む、上記Ｃ１１に記載の方法。
［Ｃ１３］
Ｄ２Ｄ発見リソースの割振りについての前記要求は、前記ユーザデバイスがＤ２Ｄ発見に参加することを認可されているというインジケータを含む、上記Ｃ１に記載の方法。
［Ｃ１４］
前記応答から、前記ユーザデバイスによって実行されるべき発見信号送信の数を決定すること
をさらに備える、上記Ｃ１に記載の方法。
［Ｃ１５］
前記応答から、前記ユーザデバイスに割り振られた前記Ｄ２Ｄ発見リソースが割振り解除されることを前記ユーザデバイスがその後に決定し得るエンプティ発見信号送信の数を決定すること
をさらに備える、上記Ｃ１に記載の方法。
［Ｃ１６］
ワイヤレス通信のための装置であって、
ユーザデバイスから、デバイス間（Ｄ２Ｄ）発見リソースの割振りについての要求を送信するための手段と、
前記要求に応答して、前記ユーザデバイスに割り振られた前記Ｄ２Ｄ発見リソースが共通のものであるのか、または専用のものであるのかを示す応答を受信するための手段と
を備える、装置。
［Ｃ１７］
前記ユーザデバイスに割り振られた前記Ｄ２Ｄ発見リソースが専用のものであるときに、前記割り振られたＤ２Ｄ発見リソースが使用され得る回数のインジケーションを受信するための手段
をさらに備える、上記Ｃ１６に記載の装置。
［Ｃ１８］
前記ユーザデバイスに割り振られた前記Ｄ２Ｄ発見リソースが専用のものであるときに、前記Ｄ２Ｄ発見リソースが割り振られた時間量のインジケーションを受信するための手段
をさらに備える、上記Ｃ１６に記載の装置。
［Ｃ１９］
前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信するための手段、ここにおいて、前記識別子が、前記ユーザデバイスに割り振られたサブフレーム上の複数のリソースブロック（ＲＢ）を識別する、
をさらに備える、上記Ｃ１６に記載の装置。
［Ｃ２０］
前記ユーザデバイスが有効な割り振られたＤ２Ｄ発見リソースを有さず、前記要求が拒絶されるとき、または前記ユーザデバイスが共通の割り振られたＤ２Ｄ発見リソースのみを有するとき、Ｄ２Ｄ発見リソースの割振りのための前記応答がエンプティである、上記Ｃ１６に記載の装置。
［Ｃ２１］
前記ユーザデバイスが前記応答を受信した後に始まる発見期間中に前記ユーザデバイスに割り振られた前記割り振られたＤ２Ｄ発見リソースを使用してＤ２Ｄ発見メッセージを送信するための手段
をさらに備える、上記Ｃ１６に記載の装置。
［Ｃ２２］
Ｄ２Ｄ発見リソースの割振りについての前記要求が、Ｄ２Ｄリソースの第１の割振りについての第１の要求であり、前記装置が、
前記ユーザデバイスが複数の近隣基地局のうちの１つではない基地局と通信しているとき、前記ユーザデバイスから、Ｄ２Ｄ発見リソースの第２の割振りについての第２の要求を送信するための手段
をさらに備える、上記Ｃ１６に記載の装置。
［Ｃ２３］
前記要求が、送信されるべき複数の式と前記ユーザデバイスのためのＤ２Ｄ発見リソースについての対応する要求とを含み、前記応答が、前記ユーザデバイスに割り振られたＤ２Ｄ発見リソースが共通のものであるのか、または専用のものであるのかの対応する複数のインジケーションを含む、上記Ｃ１６に記載の装置。
［Ｃ２４］
ワイヤレス通信のために構成された装置であって、
少なくとも１つのプロセッサと、
前記少なくとも１つのプロセッサに結合されたメモリと
を備え、前記少なくとも１つのプロセッサが、
ユーザデバイスから、デバイス間（Ｄ２Ｄ）発見リソースの割振りについての要求を送信することと、
前記要求に応答して、前記ユーザデバイスに割り振られた前記Ｄ２Ｄ発見リソースが共通のものであるのか、または専用のものであるのかを示す応答を受信することと
を行うように構成された、
装置。
［Ｃ２５］
前記プロセッサは、前記ユーザデバイスに割り振られた前記Ｄ２Ｄ発見リソースが専用のものであるときに、前記割り振られたＤ２Ｄ発見リソースが使用され得る回数のインジケーションを受信することを行うようにさらに構成された、上記Ｃ２４に記載の装置。
［Ｃ２６］
前記プロセッサは、前記ユーザデバイスに割り振られた前記Ｄ２Ｄ発見リソースが専用のものであるときに、前記Ｄ２Ｄ発見リソースが割り振られた時間量のインジケーションを受信することを行うようにさらに構成された、上記Ｃ２４に記載の装置。
［Ｃ２７］
前記プロセッサは、前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信することを行うようにさらに構成され、前記識別子は、前記ユーザデバイスに割り振られたサブフレーム上の複数のリソースブロック（ＲＢ）を識別する、上記Ｃ２４に記載の装置。
［Ｃ２８］
非一時的プログラムコードを記録した非一時的コンピュータ可読媒体であって、前記非一時的プログラムコードが、
ユーザデバイスから、デバイス間（Ｄ２Ｄ）発見リソースの割振りについての要求を送信するためのプログラムコードと、
前記要求に応答して、前記ユーザデバイスに割り振られた前記Ｄ２Ｄ発見リソースが共通のものであるのか、または専用のものであるのかを示す応答を受信するためのプログラムコードと
を備える、非一時的コンピュータ可読媒体。
［Ｃ２９］
前記プログラムコードは、前記ユーザデバイスに割り振られた前記Ｄ２Ｄ発見リソースが専用のものであるときに、前記割り振られたＤ２Ｄ発見リソースが使用され得る回数のインジケーションを受信するためのプログラムコードをさらに備える、上記Ｃ２８に記載の非一時的コンピュータ可読媒体。
［Ｃ３０］
前記プログラムコードは、前記ユーザデバイスに割り振られた前記Ｄ２Ｄ発見リソースが専用のものであるときに、前記Ｄ２Ｄ発見リソースが割り振られた時間量のインジケーションを受信するためのプログラムコードをさらに備える、上記Ｃ２８に記載の非一時的コンピュータ可読媒体。
【図１】
0006479852.tif 000002
【図２】
0006479852.tif 000003
【図３】
0006479852.tif 000004
【図４】
0006479852.tif 000005
【図５】
0006479852.tif 000006
【図６】
0006479852.tif 000007
【図７】
0006479852.tif 000008
【図８】
0006479852.tif 000009
【図９】
0006479852.tif 000010
【図１０】
0006479852.tif 000011
【図１１】
0006479852.tif 000012
【図１２】
0006479852.tif 000013
【図１３】
0006479852.tif 000014
【図１４】
0006479852.tif 000015
【図１５】
0006479852.tif 000016